(57)【要約】  動画コンテンツに対し、所望の栞（しおり）を付加することを容易にして可能ならしめる。表示手段（３０）の画面内に、動画コンテンツを静止画再生又は動画再生させる第１制御手段（１１）と、動画コンテンツが静止画再生又は動画再生されている最中に、画面内の所定位置若しくは範囲に、所定形状の栞を示す栞データを、動画コンテンツの時間軸上で所定期間だけ動画コンテンツに重ねて表示させる第２制御手段（１２）と、栞データを動画コンテンツの時間軸に対応付けて保持する保持手段（１３）とを備える。
2019059207.tif 000002
【特許請求の範囲】
【請求項１】
表示手段の画面内に、動画コンテンツを静止画再生又は動画再生させる第１制御手段と、
前記動画コンテンツが静止画再生又は動画再生されている最中に、前記画面内の所定位置若しくは範囲に、所定形状の栞を示すと共に前記動画コンテンツから独立した栞データを、前記動画コンテンツの時間軸上で所定期間だけ前記動画コンテンツに重ねて表示させる第２制御手段と、
前記栞データを前記動画コンテンツの時間軸に対応付けて保持する保持手段と
を備えることを特徴とする表示制御装置。
【請求項２】
前記保持手段は、前記栞に係る検索用の一又は複数種類のインデックスデータを、前記栞データの一部として又は前記栞データに対応付けて保持することを特徴とする請求項１に記載の表示制御装置。
【請求項３】
前記動画コンテンツが静止画再生又は動画再生されている最中に、前記栞データを付加する旨の指示が入力されるのに応じて、前記栞データを指定若しくは生成可能な栞指定生成手段を更に備えることを特徴とする請求項１又は２に記載の表示制御装置。
【請求項４】
前記栞指定生成手段は、前記付加する旨の指示に加えて、前記栞に係るコメント、名称及び色のうち少なくとも一つを指定する旨の指示が入力されるのに応じて、前記少なくとも一つを伴う前記栞データを指定若しくは生成可能であり、
前記第２制御手段は、前記栞データが伴う前記少なくとも一つに従って、前記栞データを表示する
ことを特徴とする請求項３に記載の表示制御装置。
【請求項５】
前記栞指定生成手段は、前記動画コンテンツ及び前記栞データの少なくとも一方に重ねて表示されるウインドウ画面内若しくはプルダウンメニュー上で、前記少なくとも一つを指定若しくは生成可能に構成されていることを特徴とする請求項４に記載の表示制御装置。
【請求項６】
前記画面は、タッチパネルの画面であり、
前記栞指定生成手段は、前記タッチパネルへの操作者による接触を、前記栞データの生成開始のトリガーとし、前記接触の終了を、前記栞データの生成終了のトリガーとする
ことを特徴とする請求項３に記載の表示制御装置。
【請求項７】
前記栞指定生成手段は、マウスへの操作者による第１の操作を前記栞データの生成開始のトリガーとし、第２の操作を前記栞データの生成終了のトリガーとすることを特徴とする請求項３に記載の表示制御装置。
【請求項８】
前記保持手段は、前記所定期間として（i）前記生成開始のトリガーよりも所定時間前から（ii）前記生成終了のトリガーから所定時間後まで、に相当する期間を示すタイムインデックスデータを、前記栞データの一部として又は前記栞データに対応付けて保持することを特徴とする請求項６又は７に記載の表示制御装置。
【請求項９】
前記第１制御手段は、前記接触又は前記マウスの操作が所定時間より短い時間のものである場合、前記動画コンテンツを動画再生から静止画再生に切り替えることを特徴とする請求項６又は７に記載の表示制御装置。
【請求項１０】
前記栞指定生成手段は、前記接触又は前記マウスの操作が所定時間より長い時間のものである場合に限定して、前記接触又は前記マウスの操作を前記トリガーとすることを特徴とする請求項６又は７に記載の表示制御装置。
【請求項１１】
前記第２制御手段は、前記生成開始のトリガーから前記生成終了のトリガーまでの前記接触の軌跡又は前記マウスの操作の軌跡を、前記栞データとして、前記画面上における蛍光ペンの演出で表示することを特徴とする請求項６又は７に記載の表示制御装置。
【請求項１２】
前記第１制御手段は、前記栞指定生成手段により前記栞データが指定若しくは生成される際に、前記動画コンテンツを動画再生から静止画再生又はスロー再生に切り替えることを特徴とする請求項３に記載の表示制御装置。
【請求項１３】
前記保持手段は、前記栞データに対応すると共に所望のリンク先を識別するリンク先識別情報を、前記栞データの一部として又は前記栞データに対応付けて保持し、
前記第２制御手段は、前記動画コンテンツが静止画再生又は動画再生されている最中に、前記リンク先識別情報により識別されるリンク先に係る画像データを、前記動画コンテンツに加えて又は代えて、前記栞データの一部として又は前記栞データに対応付けて表示可能である
ことを特徴とする請求項１に記載の表示制御装置。
【請求項１４】
当該表示制御装置は、他の一又は複数の表示制御装置と共に一つのネットワークに収容されており、
前記第２制御手段は、前記ネットワークを介して取得される（i）他の一の表示制御装置で生成された一の栞データ及び（ii）他の複数の表示制御装置で生成された複数の栞データに基づく統計処理結果を示す処理済栞データの少なくとも一方を、当該表示制御装置に係る前記栞データに加えて又は代えて表示する
ことを特徴とする請求項１に記載の表示制御装置。
【請求項１５】
前記第２制御手段は、同一動画コンテンツに係ると共に前記所定期間が少なくとも部分的に重なる又は同一である栞データの総数を前記処理済栞データに基づき所定形式で表現する栞マークとして、前記栞データを表示することを特徴とする請求項１４に記載の表示制御装置。
【請求項１６】
前記第２制御手段は、同一動画コンテンツに係ると共に前記所定期間が少なくとも部分的に重なる又は同一である栞データの総数が所定閾値を超えた場合に、前記栞データに代わる前記処理済データとして若しくは前記処理済みデータに加えて、形状が該総数に応じて可変のアイコンを示す画像データを表示することを特徴とする請求項１４に記載の表示制御装置。
【請求項１７】
前記動画コンテンツが静止画再生又は動画再生されている最中に、所望の文字または図柄を、入力可能な入力手段を更に備え、
前記第２制御装手段は、前記栞データと共に若しくは前記栞データの少なくとも一部として、前記入力手段を介して入力された所望の文字または図柄を、前記動画コンテンツに重ねて表示可能であり、
前記保持手段は、前記栞データに対応付けて前記文字または図柄を示す画像データを保持する
ことを特徴とする請求項１に記載の表示制御装置。
【請求項１８】
コンピュータを、請求項１から１７のいずれか一項に記載の表示制御装置として機能させることを特徴とするコンピュータプログラム。
【発明の詳細な説明】
【技術分野】
【０００１】
本発明は、例えば、画像コンテンツを再生表示中に、栞（しおり）を電子的に或いは画像データとして付加する表示制御装置及び、コンピュータをそのような装置として機能させるコンピュータプログラムの技術分野に関する。
【背景技術】
【０００２】
この種の装置として、紙からなる本に栞を挟むのと同じ要領で、画面表示された本のページ或いは電子文書に「電子的な栞」を付加するものが開発され（市販の各種電子書籍リーダー参照）、各種の提案がなされている（特許文献１〜３参照）。
【先行技術文献】
【特許文献】
【０００３】
【特許文献１】特開2013-168082号公報
【特許文献２】特開2013-8071号公報
【特許文献３】特開2012-221388号公報
【発明の概要】
【発明が解決しようとする課題】
【０００４】
しかしながら、これらの背景技術によれば、静止画コンテンツに対して栞を付加することは可能であるものの、動画コンテンツに対して栞を付加することはできない。即ち、動画コンテンツのうち重要な部分や後で見返したい部分を、見返すためには、基本的にその部分の場所を記憶しておくしかない。【０００５】
例えば、動画コンテンツのフレーム画像の一枚一枚を静止画コンテンツとして扱い、各静止画コンテンツに栞データを付加することは、これらの背景技術の応用により可能かもしれない。しかし、そのためには、極めて多数の静止画コンテンツ（即ち極めて多数のフレーム画像）に対して、栞データを付加する必要性が生じ、ユーザに強いられる付加作業の量、装置に求められるデータ処理量、処理や保持すべきデータ量等の各種観点から実践的ではない。【０００６】
仮に、動画コンテンツの提供者側や視聴者側で、栞を付加する作業に関して、動画コンテンツの一部として動画中に存在するオブジェクトに、栞を示す画像部分を埋め込む作業を行うのであれば、基本的に、コンピュータプログラムの知識、或いはシステムエンジニア知識といった専門性が必要とされる。或いは、シーンやアングルが任意に変化し得る、千差万別の動画コンテンツの内容や動きに応じて、栞を付加する装置或いはデータを構築すること自体が、総じて複雑高度で大掛かりなものとなってしまいかねない。【０００７】
他方で、動画コンテンツに対して栞を付加することを可能にすると、動画コンテンツ自体における任意性や自由度が失われてしまいかねない。即ち、栞を付加することが可能に構築された専用の動画コンテンツであって初めて、後に視聴者が栞を付加できるようになってしまいかねない。特に、本願発明者らによる研究によれば、動画コンテンツの提供元或いは配信元が提供したい動画コンテンツは、頻繁に変更、追加、削除されることが日常茶飯事である。よって、動画コンテンツに対して栞を付加しようとするのであれば、簡単な或いは迅速な操作で臨機応変に指定や変更できることが望ましいものと思料される。【０００８】
本発明は、例えば上述の技術的問題点に鑑みてなされたものであり、映像授業等の提供元の側で或いは視聴者の側で、任意の動画コンテンツに対し、所望の栞を付加することを容易にして可能ならしめる、表示制御装置を提供することを一の課題とする。本発明は、コンピュータを、そのような表示制御装置として機能させることが可能なコンピュータプログラムを提供することを他の課題とする。
【課題を解決するための手段】
【０００９】
本発明に係る表示制御装置は上記課題を解決するために、表示手段の画面内に、動画コンテンツを静止画再生又は動画再生させる第１制御手段と、前記動画コンテンツが静止画再生又は動画再生されている最中に、前記画面内の所定位置若しくは範囲に、所定形状の栞を示すと共に前記動画コンテンツから独立した栞データを、前記動画コンテンツの時間軸上で所定期間だけ前記動画コンテンツに重ねて表示させる第２制御手段と、前記栞データを前記動画コンテンツの時間軸に対応付けて保持する保持手段とを備える。【００１０】
本発明に係るコンピュータプログラムは上記課題を解決するために、コンピュータを、上述した本発明に係る表示制御装置として機能させる。【００１１】
本発明のこのような作用及び他の利得は、これ以降に説明する実施形態により明らかにされる。
【発明を実施するための形態】
【００１２】
＜表示制御装置＞
＜１＞
本実施形態に係る表示制御装置は上記課題を解決するために、表示手段の画面内に、動画コンテンツを静止画再生又は動画再生させる第１制御手段と、前記動画コンテンツが静止画再生又は動画再生されている最中に、前記画面内の所定位置若しくは範囲に、所定形状の栞を示すと共に前記動画コンテンツから独立した栞データを、前記動画コンテンツの時間軸上で所定期間だけ前記動画コンテンツに重ねて表示させる第２制御手段と、前記栞データを前記動画コンテンツの時間軸に対応付けて保持する保持手段とを備える。
【００１３】
本発明に係る表示制御装置によれば、動画コンテンツが静止画再生又は動画再生されている最中に、動画コンテンツに重ねて、所定形状の栞（或いは、広義には、狭義の「栞」に限らず、一般に「付箋紙」、「ハイライト」、「蛍光ペン」などと称されるものも含む）を示す栞データが所定期間だけ表示される。本実施形態に係る「第１制御手段」及び「第２制御手段」は夫々、相互から独立した別々の若しくは一体に纏められた一つのユニット又は部分的にICチップとして一体形成された、例えば、ＣＰＵ、マイコン、メモリ等を備えて構成される。
【００１４】
第１制御手段は、表示しようとする動画コンテンツに対応する画像信号、画像制御信号、タイミング信号、同期信号等の各種信号を、自らとは別体の又は自ら内蔵する表示手段（即ち、本実施形態に係る「画面」を有する表示手段）に提供し、該表示手段の表示制御を行う。第２制御手段は、動画コンテンツに重ねて表示しようとする栞データに対応する画像信号、画像制御信号、タイミング信号、同期信号等の各種信号を表示手段に提供し、該表示手段の表示制御を行う。
【００１５】
なお「動画コンテンツに重ねて表示」するとは、狭義には動画コンテンツの一部を重なった部分だけ見えなくして表示する意味であるが、動画コンテンツの上下左右、隅、角等に存在し得る、タスクバー、帯、額、枠、ウインドウ、サブの小画面等の一部として若しくはそのようなタスクバー等に重ねて表示する意味も含む。更に、「動画コンテンツに重ねて表示」するとは、重ねて表示される栞データが半透明表示、点滅表示等であるためその下部に隠れた動画コンテンツが半透明等で透けて或いは部分的に見える場合も含む意味である。要すれば、動画コンテンツを表示中に、その時点で栞が存在することが視覚的に判別できる限りにおいて、栞の表示方法としては、各種方法が採用可能である。
【００１６】
いずれの場合にも、表示手段は、第１及び第２制御手段による制御下で、動画コンテンツ及びこれに重ねて栞データを表示可能な、パソコン、タッチパネル、モバイル、ケータイ端末装置、スマートフォン、ケータイ電話、高機能テレビなどに備えられるものである。他方、動画コンテンツについては、映像授業用或いは教育用のものに限らず、映画、ドラマ、アニメ、ドキュメンタリ、バラエティ、テレビショッピング、スポーツ番組など任意であり、いずれの用途の場合にも、以下に詳述されるように、栞データは相応に機能する。
【００１７】
ここで特に、動画コンテンツは、典型的には一のレイヤーデータとして構築されている。これに対し、栞データは、動画コンテンツから独立したデータであり、典型的には一のレイヤーデータとは異なる他のレイヤーデータとして構築されている。
【００１８】
本実施形態において、栞データが「動画コンテンツから独立」しているとは、動画コンテンツの内容或いは動画コンテンツを構成するオブジェクトやエレメントと、栞データとは、相互にデータとして紐付けられておらず、両者の関係は、動画コンテンツの再生時間軸上の時刻情報と、栞データが有する時刻情報とによって（或いは、よってのみ）関係付けられていることを意味する。即ち、典型的には、動画コンテンツと栞データとは、別々のレイヤーデータから構成されていることを意味する。また「レイヤーデータ」とは、二つ或いは二階層以上のデータが存在しており、各々のデータが、一つの時間軸上で連続的に或いは断続的に存在し（典型的には両データ共に時刻情報或いはタイムスタンプを有し）、時刻を除く内容的には相互から独立しており或いは相互に紐付けられておらず、相互に異なる階層において生成されている際における、これら二つ或いは二つ以上のデータの各々を意味する。
【００１９】
このような表示手段による表示に際し、栞データは、動画コンテンツの時間軸に対応付けがなされているので、動画コンテンツの時間軸上の時刻に基づくことで、動画コンテンツにおける栞を付加したい期間だけ付加することを、言い換えれば、結果的に表示上或いは外観上は動画コンテンツにおける任意のオブジェクトに対して適所に栞が付加されている表示状態を、極めて容易に実現できる。
【００２０】
よって、動画コンテンツは、栞データが存在しない従前の動画コンテンツのままで済む。他方で、栞データについては、例えば従前の動画コンテンツに埋め込まれる形式のデータとして構築される必要性は無く、総じて簡易或いは単純なデータ構造を採用することで十分構築可能となる。即ち、そのように簡易或いは単純なデータ構造を有する、典型的には一つのレイヤーデータとして構築されている栞データを、表示手段で表示する際に、再生時刻を動画コンテンツに合わせて、典型的には別のレイヤーデータとして構築されている（即ち、栞データからは独立している）動画コンテンツの所定位置或いは範囲に重ねて表示すれば、結果的に栞を動画コンテンツに付加した表示状態が実現可能となる。栞データを付加したり、取り除いたりする場合にも、栞データから独立している動画コンテンツ自体に対しては、手を加えなくて済む。
【００２１】
このように動画コンテンツ中の任意のオブジェクトと栞との対応付けは、データとしてはオブジェクトの存否や内容、更にチャプタ・シーンやアングルの切り換え等によらずに（i）動画コンテンツ及び栞データ間の再生時刻の対応付けと（ii）例えば動画コンテンツの提供者側や視聴者側で、任意のオブジェクトを見ながら栞データが付加された期間（即ち、動画コンテンツの再生時間のうちの一部の期間）とによって行われる。言い換えれば、提供者側又は視聴者側における“視覚”の助けを借りて対応付けがなされる。
【００２２】
従って、例えば、動画コンテンツのうち、視聴者側若しくは提供者側が重要である或いは難しいと感じた所望の部分に栞を付加することが可能となり、事後的に、栞データを頼りに、それが付加された動画コンテンツ部分のみを、今一度或いは複数度、見直すことが可能となる。或いは、例えば、保持された栞データを頼りに、動画コンテンツの所望個所ばかりを選択的に再生することや検索することも可能となる。
【００２３】
なお、第２制御手段は、保持手段に一旦保持された栞データを表示可能である他、後述の栞指定入力手段により指定或いは入力される栞データを（保持手段に保持するのに相前後して又は同時並行的に）リアルタイムで表示可能であってもよい。
【００２４】
本発明に係る「保持手段」は、例えば、メモリ、記憶装置、コントローラ等を備えてなる。これによる栞データの保持は、通信手段を介して当該表示制御装置のユーザが操作する場所から離れて行われてもよい。即ち、保持手段の少なくとも一部は、遠隔地に置かれていてもよい。
【００２５】
更に、表示制御装置の少なくとも一部は、表示手段とネットワークを介して接続されたサーバ内に配置されることも可能である。例えば、映像授業の動画コンテンツの配信者でも視聴者でもない者が、栞データを付加するのに特化した役割を持つものとして介在するような構成も本実施形態から排除されない。
【００２６】
このような表示制御装置は、例えば、映像授業の提供者等の動画コンテンツの提供元における、表示手段に外付け又は内蔵されて動画コンテンツの提供者にとっての所謂ＧＵＩとして機能させることもできる。この場合、栞データは、教師、講師、他の視聴者等の判断に基づいて付加される。或いは、例えば、映像授業の生徒等の動画コンテンツの視聴者における、表示手段に外付け又は内蔵されて動画コンテンツの視聴者にとってのＧＵＩとして機能させることもできる。この場合、栞データは、生徒、聴講者、視聴者等の判断で付加される。
【００２７】
なお、動画コンテンツに重ねて表示される栞データにより示される栞は、例えば、紙媒体の本に挟まれる栞を模した図形でもよいし、付箋紙の如き図形でもよい。或いは、単純に四角形或いは多角形の輪郭マークでもよいし、丸い輪郭マークであってもよい。或いは網掛けや蛍光ペン、透明や半透明の表示を用いたマークであってもよく、画面上で当該栞を視認できる限りにおいて任意である。また、そのような栞データは、単に栞を示すだけでも基本的な機能を果たすが、後に詳述するように、栞データに、ウインドウ表示やプルダウンメニュー表示を行うためのボタンとしての機能を持たせることも可能である。
【００２８】
以上詳細に説明した如く、比較的簡易或いは単純な方法で、比較的簡易或いは単純な装置構成を採用しつつ、動画コンテンツに対して所望の栞を付加することが可能となり、栞を利用しての様々な再生表示が可能となり、実用上大変便利となる。
＜２＞
本実施形態に係る表示制御装置の一態様では、前記保持手段は、前記栞に係る検索用の一又は複数種類のインデックスデータを、前記栞データの一部として又は前記栞データに対応付けて保持する。
【００２９】
この態様によれば、視聴者、提供者或いはユーザをして、栞データに係るインデックスデータ（例えば、試験によく出る旨を示すものとして規定されたインデックスデータ、間違えやすい箇所である旨を示すものとして規定されたインデックスデータ等々）を参照することで、極めて容易にして、栞データの検索を実施可能となる。例えば、予め試験によく出るものとして規定されたインデックスデータを利用すれば、受験生である視聴者は、他の部分を飛ばして、試験によく出る旨の栞が付された動画コンテンツ部分ばかりを再生することも可能となる。
＜３＞
本実施形態に係る表示制御装置の他の態様では、前記動画コンテンツが静止画再生又は動画再生されている最中に、前記栞データを付加する旨の指示が入力されるのに応じて、前記栞データを指定若しくは生成可能な栞指定生成手段を更に備える。
【００３０】
この態様によれば、例えば受験生である視聴者側でも講師等を含む提供者側でも、栞指定生成手段を用いて栞データを付加する旨の指示を入力することで、動画コンテンツに対し、その所望の期間（即ち、所望の再生時間）に栞を付加することが可能となる。
【００３１】
本実施形態に係る「栞指定入力手段」の具体例としては、例えば、タッチパネル、マウス、キーボード等の、画面内でアイコン操作、描画操作、表示操作等を行うことが可能な、既存の各種操作装置を採用可能である。
＜４＞
この栞指定生成手段を備える態様では、前記栞指定生成手段は、前記付加する旨の指示に加えて、前記栞に係るコメント、名称及び色のうち少なくとも一つを指定する旨の指示が入力されるのに応じて、前記少なくとも一つを伴う前記栞データを指定若しくは生成可能であり、前記第２制御手段は、前記栞データが伴う前記少なくとも一つに従って、前記栞データを表示してもよい。
【００３２】
このように構成すれば、例えば、受験生である視聴者側が自らによる「解説文」、「関連事項」、「応用問題」などについてのコメントを栞に付加することができる。例えば、講師等を含む提供者側や受験生である視聴者側が「テストに絶対出る」、「テストに出やすい」、「ここは忘れやすい」、「ここは面白い」などの名称を栞に付加することができる。或いは、「大事」、「重要」、「要注意」などの名称を栞に付加することができる。更に、提供者側又は視聴者側における主観的判断に比べてより客観性を持つ、統計データに基づく客観的判断により、重要度に応じるものとして色分けされた赤色、青色、黄色などの色別の栞を付加することも可能となる。いずれの場合にも、栞の利用価値を向上させ得る。
＜５＞
このように構成した場合更に、前記栞指定生成手段は、前記動画コンテンツ及び前記栞データの少なくとも一方に重ねて表示されるウインドウ画面内若しくはプルダウンメニュー上で、前記少なくとも一つを指定若しくは生成可能に構成されてもよい。
【００３３】
このように構成すれば、栞を付加しようとする際に、該栞に係るコメント、名称或いは色などを、動画コンテンツや栞データ上に展開されるウインドウ画面若しくはプルダウンメニューを利用して簡単迅速に指定若しくは生成可能となる。
＜６＞
前述の栞指定生成手段を備える態様では、前記画面は、タッチパネルの画面であり、前記栞指定生成手段は、前記タッチパネルへの操作者による接触を、前記栞データの生成開始のトリガーとし、前記接触の終了を、前記栞データの生成終了のトリガーとするように構成してもよい。
【００３４】
このように構成すれば、動画コンテンツが表示されている画面を成すタッチパネルに対して、例えば視聴者側に居る受験生や提供者側に居る講師などの操作者が、指先やタッチペンによる接触を行い、時間をおいて或いは更に画面内で距離を隔ててその接触を止めるという簡単な操作によって、両トリガー間の期間に応じた所望の期間に、栞を付加することが可能になり、実践上大変便利である。
【００３５】
栞として、予め設定された固定形状の他、接触の仕方に応じた可変形状を持つ栞が表示されるように、栞データを生成してもよい。更に、栞として、予め固定された画面内位置での表示の他、接触の仕方に応じて変化する画面内位置に栞が表示されるように、栞データを生成してもよい。
＜７＞
或いは前述の栞指定生成手段を備える態様では、前記栞指定生成手段は、マウスへの操作者による第１の操作を前記栞データの生成開始のトリガーとし、第２の操作を前記栞データの生成終了のトリガーとするように構成してもよい。
【００３６】
このように構成すれば、動画コンテンツに対して、例えば視聴者側に居る受験生や提供者側に居る講師などの操作者が、マウスの操作という簡単な操作によって、両トリガー間の期間に応じた所望の期間に、栞を付加することが可能になり、実践上大変便利である。
【００３７】
この場合にも、栞として、予め設定された固定形状の他、第１の操作から第２の操作への変化の仕方に応じた可変形状を持つ栞が表示されるように、栞データを生成してもよい。更に、栞として、予め固定された画面内位置での表示の他、第１の操作から第２の操作への変化の仕方に応じて変化する画面内位置に栞が表示されるように、栞データを生成してもよい。
＜８＞
これらの栞データの生成開始及び生成終了のトリガーに係る態様では、前記保持手段は、前記所定期間として（i）前記生成開始のトリガーよりも所定時間前から（ii）前記生成終了のトリガーから所定時間後まで、に相当する期間を示すタイムインデックスデータを、前記栞データの一部として又は前記栞データに対応付けて保持するように構成してもよい。
【００３８】
このように構成すれば、動画コンテンツが再生されている中で、操作者による栞データを付加するための実際の操作開始（即ち、タッチパネルへの接触又はマウスの第１の操作）より以前に当たる動画コンテンツ部分から栞データが付加されるようにできるので、更に、操作者による栞データを付加するための実際の操作終了（即ち、タッチパネルへの接触解除又はマウスの第２の操作）より以降に当たる動画コンテンツ部分にまで栞データが付加されるようにできるので、栞データを付加する作業が簡単となる。言い換えれば、栞データが付加されている動画コンテンツ部分を栞データに基づいて再生すれば、肝心の頭出しの部分が再生されないで途中から再生開始されてしまう不都合や、肝心の最後の結論部分が再生されないで途切れてしまう不都合を、比較的簡単な方法及び装置構成によって、回避可能となる。例えば、栞データを付加するための実際の操作開始より２秒前或いは数秒前から栞データが付加され、栞データを付加するための実際の操作終了より２秒後或いは数秒後まで栞データが付加されるように構成すれば、実践上極めて便利となる。
【００３９】
他方で、所定期間を、一瞬のみ即ち短い時間又は時刻とし、その短い時間又は時刻を含むシーン、チャプタ、トラック、一連の文章若しくは分などの動画コンテンツを構成する所定単位に対して栞データを付加するように構成することも可能である。
＜９＞
或いは  これらの栞データの生成開始及び生成終了のトリガーに係る態様では、前記第１制御手段は、前記接触又は前記マウスの操作が所定時間より短い時間のものである場合、前記動画コンテンツを動画再生から静止画再生に切り替えるように構成してもよい。
【００４０】
このように構成すれば、タッチパネルへの接触時間の短さ又はマウスの操作時間の短さで動画コンテンツを静止画像に切り替えることができる。
＜１０＞
或いは  これらの栞データの生成開始及び生成終了のトリガーに係る態様では、前記栞指定生成手段は、前記接触又は前記マウスの操作が所定時間より長い時間のものである場合に限定して、前記接触又は前記マウスの操作を前記トリガーとするように構成してもよい。
【００４１】
このように構成すれば、短時間や瞬間的な誤接触やエラーでなく、ユーザの積極的意思が読み取れる程度の所定期間よりも長い時間に亘る接触や操作（典型的には、タッチパネルへの接触或いはマウス操作）が継続された場合に限定して、これらの接触や操作がトリガーとして認定される。他方で、このような接触や操作が所定時間よりも短い場合には、当該接触や操作は行われなかったもの扱いとなり、動画コンテンツの再生が継続される。よって、確実に或いは誤操作が無いように、栞データの指定や生成を実行可能となる。
＜１１＞
或いは  これらの栞データの生成開始及び生成終了のトリガーに係る態様では、前記第２制御手段は、前記生成開始のトリガーから前記生成終了のトリガーまでの前記接触の軌跡又は前記マウスの操作の軌跡を、前記栞データとして、前記画面上における蛍光ペンの演出で表示するように構成してもよい。
【００４２】
このように構成すれば、栞データを、操作者が操作した軌跡に応じた可変形状であって、しかも蛍光ペンにより極めて目立つものとして、動画コンテンツ上に表示可能となる。栞の形状についても、単純な直線状だけでなく、曲線状、くの字、星形、はてなマーク形状、エクスクラメーションマーク形状なども、手書きの要領で可能となり、更に簡単な文字や短い文章もこの要領で描ける。この結果、本来の単純な注意喚起機能以上の機能を持つ栞を実現可能となる。
【００４３】
なお、画面内における固定位置に栞データが表示されていた方が、栞データの存否をユーザの視覚を通してより迅速に識別できるという観点からは、固定位置に栞データが表示される方が、更に固定位置に固定形状の栞データが表示される方が、有利であるとも言える。
＜１２＞
或いは前述の栞指定生成手段を備える態様では、前記第１制御手段は、前記栞指定生成手段により前記栞データが指定若しくは生成される際に、前記動画コンテンツを動画再生から静止画再生又はスロー再生に切り替えるように構成してもよい。
【００４４】
このように構成すれば、一旦静止画再生或いはスロー再生に切り替えた上で、栞データを付加したい場面にある動画コンテンツに対し、時間的に余裕をもって、例えば栞に係るコメント等も含めて、栞データを指定或いは生成することが可能となる。即ち、栞データを指定入力する作業を実行し易いものにできる。より一般的には、コメントデータ等を伴う栞データを正確或いは確実に指定生成するという観点からは、動画コンテンツは、静止画再生若しくはストップモーション又はスロー再生されていることが、好ましい。
【００４５】
更に、例えば、栞データを付加することが装置側で確認できたタイミングや、栞データの付加が終了したことが装置側で確認できたタイミングで、動画コンテンツを静止若しくはストップ又はスロー再生すれば便利であるが、どの動画コンテンツに対して当該栞データを付加しているかがユーザに分かる限りにおいて、このように静止等するタイミングは任意である。
【００４６】
なお、動画再生される動画コンテンツの動きや特にその中におけるオブジェクトの動きが乏しい又は殆ど若しくは全く無い場合（例えば、ホワイトボードに書き終えられた文章や絵が動画コンテンツとして、動くことなく表示されている場合）、当該表示制御装置のユーザにおける操作技量が高く迅速に操作可能である場合などには、スロー再生、通常再生、ハイスピード再生などの動画再生中（即ち、栞データを付加すべき動画コンテンツの再生中）に、このような栞データの指定生成が行われてもよい。
＜１３＞
本実施形態に係る表示制御装置の他の態様では、前記保持手段は、前記栞データに対応すると共に所望のリンク先を識別するリンク先識別情報を、前記栞データの一部として又は前記栞データに対応付けて保持し、前記第２制御手段は、前記動画コンテンツが静止画再生又は動画再生されている最中に、前記リンク先識別情報により識別されるリンク先に係る画像データを、前記動画コンテンツに加えて又は代えて、前記栞データの一部として又は前記栞データに対応付けて表示可能である。
【００４７】
この態様によれば、動画コンテンツが静止画再生又は動画再生されている最中に、付加されている栞データがある場合、その栞データに対応するリンク先に係る画像データが、例えば、操作ボタンとしての機能を有する栞データ又は別途表示される操作ボタンに対しタッチパネル、マウス等を用いての所定種類の操作が行われることで、表示される。
【００４８】
このように栞データに、栞本来の注意喚起を促す機能のみならず、リンク先を呼び出す機能の一部を担わせることが可能となり、実践上極めて便利となる、
ここで一般には、動画コンテンツ内の任意のオブジェクトに対してリンクを貼る場合、動画コンテンツの内容自体や動画コンテンツ内におけるオブジェクトの内容自体・位置自体に紐付けようとすると、画像解析や画像認識といった非常に高度なデータ処理が必要になってしまう。そのため必要なプログラムは、複雑高度化し、処理時間、処理量、データ量等は、顕著に増大してしまう。しかるに本実施形態によれば、当該表示制御装置のユーザが自らの目で動画コンテンツを見ながら、栞データに係る各種操作等を実行すればよく、それにより得られる栞データは動画コンテンツの再生時間軸に基づき紐付けられた形で、保持手段に保持される。従って、当該表示制御装置のユーザ側では、リンクを貼ることを簡単にして実践可能となる。
＜１４＞
本実施形態に係る表示制御装置の他の態様では、当該表示制御装置は、他の一又は複数の表示制御装置と共に一つのネットワークに収容されており、前記第２制御手段は、前記ネットワークを介して取得される（i）他の一の表示制御装置で生成された一の栞データ及び（ii）他の複数の表示制御装置で生成された複数の栞データに基づく統計処理結果を示す処理済栞データの少なくとも一方を、当該表示制御装置に係る前記栞データに加えて又は代えて表示する。
【００４９】
この態様によれば、インターネット等のネットワークに当該表示制御装置と共に収容されている、他の一の表示制御装置で生成された一の栞データや、他の複数の表示制御装置で生成された複数の栞データに基づく統計処理結果を示す処理済データを、当該表示制御装置により表示される栞データに反映させることが可能となる。
【００５０】
例えば、視聴者本人のみによる主観的な判断で「重要」、「試験に出る」、「間違えやすい」等ではなく、他の視聴者や、特に統計処理結果が示す複数或いは多数の視聴者による、より客観的な判断で「重要」、「試験に出る」等であるものに、その旨の名称や色或いはコメントを伴う栞データを付加することが可能となる。更に、処理済データを、ネットワークに収容された全表示制御装置に係る栞データに基づくものではなく、何らかの範疇に属する一部の視聴者のみに係る栞データ（例えば、特定大学を志望校とする視聴者のみに係る栞データや、偏差値が所定閾値を超える視聴者のみに係る栞データ）についての統計処理結果を示すデータに基づくものとすることも可能である。
＜１５＞
この態様では、前記第２制御手段は、同一動画コンテンツに係ると共に前記所定期間が少なくとも部分的に重なる又は同一である栞データの総数を前記処理済栞データに基づき所定形式で表現する栞マークとして、前記栞データを表示するように構成してもよい。
【００５１】
このように構成すれば、栞データは、単に栞が付加されている事実を示すマークではなく、統計的に何人のユーザにより同様に栞が付加されているかが、例えばテキスト表示された数字そのものを持つ形式の栞マークとして、或いは総数に応じて変化するサイズを持つ形式の栞マークとして、或いは、総数に応じて変化する色を持つ形式の栞マークとして、表示される。よって、ユーザは、自分らの判断のみで付加された栞データのみならず、他のユーザの判断で付加された栞データを利用できるので、大変便利である。
＜１６＞
この態様では、前記第２制御手段は、同一動画コンテンツに係ると共に前記所定期間が少なくとも部分的に重なる又は同一である栞データの総数が所定閾値を超えた場合に、前記栞データに代わる前記処理済データとして若しくは前記処理済みデータに加えて、形状が該総数に応じて可変のアイコンを示す画像データを表示するように構成してもよい。
【００５２】
このように構成すれば、統計的に見て大きな意義のある栞データが発生した場合には、例えば同一の動画コンテンツ部分に対して多数の栞データが付加されている旨を示す「熱狂アイコン」の如き、そのような意義がある旨を示すアイコンとして、形状が固定の又は該総数に応じて形状が可変のアイコンを表示することが可能となる。これにより、例えば、他の受験生である視聴者等が「重要である」、「試験に出る」、「間違えやすい」等として栞データを付加した動画コンテンツ個所について、そういう旨を示す栞データを自ら利用できる。例えば、受験であれば、受験生である視聴者間の相対的な点数争いに他ならないので、このような、例えば多数の受験生に支持された栞データを利用できることは、利用できる視聴者にとっては、相対的点数をアップさせる或いはダウンさせない目的からは、極めて有利となる。
＜１７＞
本実施形態に係る表示制御装置の他の態様では、前記動画コンテンツが静止画再生又は動画再生されている最中に、所望の文字または図柄を、入力可能な入力手段を更に備え、前記第２制御装手段は、前記栞データと共に若しくは前記栞データの少なくとも一部として、前記入力手段を介して入力された所望の文字または図柄を、前記動画コンテンツに重ねて表示可能であり、前記保持手段は、前記栞データに対応付けて前記文字または図柄を示す画像データを保持する。
【００５３】
この態様によれば、動画コンテンツを再生中に、栞データを付加するのに相前後して又は同時並行的に、キーボード、タッチパネル、マウス等の入力手段を介して、動画コンテンツ上に、所望の文字または図柄を入力可能となる。例えば、所謂「落書き」が可能となる。よって、このように入力された文字または図柄と栞データとの両者の存在によって、提供者側或いは視聴者側では、動画コンテンツの所望の個所に対して、視覚的に、より情報量が多い或いはより自由度の高い表示を実現することも可能となる。このような文字や図柄は、保持手段に栞データに対応付けられる形で画像データとして保持されているので、後に、動画コンテンツが視聴される際に、栞データと共に表示可能となり、実用上大変便利となる。
＜表示制御装置用のコンピュータプログラム＞
＜１８＞
本実施形態のコンピュータプログラムは、  コンピュータを、上述の実施形態に係る表示制御装置（但し、その各種態様を含む）として機能させる。
【００５４】
本実施形態のコンピュータプログラムによれば、当該コンピュータプログラムを格納するＲＯＭ、ＣＤ−ＲＯＭ、ＤＶＤ−ＲＯＭ、ハードディスク等の記録媒体或いはＵＳＢ（Universal Serial Bus）メモリ等コンピュータシステムに着脱可能な固体型記憶装置から、当該コンピュータプログラムをコンピュータシステムに読み込んで実行させれば、或いは、当該コンピュータプログラムを、例えば、通信手段等を介してコンピュータシステムにダウンロードさせた後に実行させれば、上述した本実施形態に係る表示制御装置（但し、その各種態様を含む）を比較的簡単に実現できる。
＜記録媒体＞
本実施形態の記録媒体は、上述した本実施形態のコンピュータプログラムが記録される。
【００５５】
本実施形態の記録媒体によれば、コンピュータシステムに装着又は接続することによって、或いはコンピュータシステムに備わる又は接続された然るべき読取装置に挿入することによって、記録している本実施形態のコンピュータプログラムを、コンピュータシステムに読み込ませて実行させることができ、上述した本実施形態の表示制御装置を比較的簡単に実現できる。
【００５６】
本実施形態のこのような作用及び他の利得は、これ以降に説明する実施例により明らかにされる。
【図面の簡単な説明】
【００５７】
【図１】実施例に係る表示制御装置のブロック図である。
【図２】実施例に係る、ディスプレイに表示される画面の一例を示す図式的な平面図である。
【図３】実施例に係る、表示制御装置を含むクライアント装置及びサーバ装置などが、通信網に収容された様子を示す概念的なブロック図である。
【図４】実施例に係る、栞データの構造を示す概念図（その１）である。
【図５】実施例に係る、栞データの構造を示す概念図（その２）である。
【図６】実施例に係る、栞データの構造を示す概念図（その３）である。
【図７】実施例に係る、表示制御装置における栞データの作成から保存までの動作の一例の流れを示すフローチャートである。
【図８】実施例に係る、表示制御装置における栞データを検索する動作（即ち“栞へのジャンプ”）の一例の流れを示すフローチャートである。
【図９】実施例に係る、動画リストのデータ構成を示す概念図である。
【図１０】実施例に係る、表示制御装置における他者が作成した栞データをダウンロードする動作の一例の流れを示すフローチャートである。
【図１１】実施例に係る、栞データの指定・作成の動作の一例を示すタイムチャートである。
【図１２】実施例に係る、栞データを付加する際の表示画面の一例を示す図式的概念図である。
【図１３】実施例に係る、栞データを検索する際の表示画面の一例を示す図式的概念図である。
【図１４】実施例に係る、複数のユーザにより作成される栞データの構造を示す概念図（その１）である。
【図１５】実施例に係る、複数のユーザにより作成される栞データの構造を示す概念図（その２）である。
【図１６】実施例に係る、アイコンの一例を示す平面図である。
【図１７】実施例に係る、アイコンの他の例を示す平面図である。
【図１８】実施例に係る、アイコンの他の例を示す平面図である。
【図１９】実施例に係る、アイコンの他の例を示す平面図である。
【図２０】実施例に係る、栞データが付加されている動画コンテンツ上に、落書きデータを書き込んで表示する場合における表示画面の変化の例を示す図式的概念図である。
【図２１】実施例に係る、栞データが付加されている動画コンテンツ上に、リンク先から他のコンテンツを取得して表示する場合における表示画面の変化の例を示す図式的概念図である。
【実施例】
【００５８】
先ず、図１のブロック図を参照して、実施例に係る表示制御装置の基本構成について説明する。本装置は、例えば、映像授業の視聴者等の当該表示制御装置のユーザにより、又は、映像授業の提供者或いは受験機関等の当該表示制御装置のユーザにより、使用される。【００５９】
図１において、表示制御装置１０は、前述の実施形態に係る第１制御手段の一例を構成する動画表示制御部１１と、前述の実施形態に係る第２制御手段の一例を構成する栞表示制御部１２と、前述の実施形態に係る保持手段の一例を構成する栞データベース１３と、入力部４０と共に前述の実施形態に係る栞指定生成手段の一例を構成する栞指定生成部１４とを備える。【００６０】
表示制御装置１０は更に、入力部４０を介してのユーザによる操作に応じて栞データベース１３を検索可能な検索部１５と、動画コンテンツデータベース２０から提供される動画コンテンツを再生する再生部１６と、動画表示制御部１１からの動画コンテンツに栞表示制御部１２からの栞データを所定フォーマットで重ねて、ディスプレイ３０に表示させる出力部１７とを備える。【００６１】
動画コンテンツデータベース２０は、各種の動画コンテンツを保持しており、表示制御装置１０（若しくは表示制御装置１０を含むクライアント装置）に、有線又は無線で直接接続されていてよいし、インターネット等経由により有線又は無線で接続されていてもよい。他方、表示制御装置１０のうち最小限の表示機能及び入力機能に係る、主にブラウザ部分のみが、表示制御装置１０を部分的に含むクライアント装置側に備えられ、クラウド技術で、動画コンテンツを表示制御装置１０に提供したり、動画コンテンツ及び栞データがディスプレイ３０に表示出力されるように構成されてもよい。【００６２】
動画コンテンツデータベース２０に保持される各種の動画コンテンツは、例えば、映像授業用或いは教育用の動画コンテンツ、映画、ドラマ、アニメ、ドキュメンタリ、バラエティ、テレビショッピング、スポーツ番組など任意である。【００６３】
ディスプレイ３０は、パソコン、タッチパネル、モバイル、ケータイ端末装置、スマートフォン、ケータイ電話、高機能テレビなどに備えられるものである。ディスプレイ３０には、動画コンテンツの音声データを音声出力する、不図示の音声出力部が内蔵又は外付けされている。【００６４】
入力部４０は、タッチパネル、マウス、タブレット、ジョグダイヤル、トラックボール、キーボード等における入力部であり、画面内でアイコン操作、描画操作、表示操作等によって、栞データの指定及び生成が可能なように、栞指定生成部１４と共に、前述の本実施形態に係る栞指定生成手段の一例を構成している。【００６５】
ディスプレイ３０に動画コンテンツが静止画再生又は動画再生されている最中に、入力部４０を介してユーザによって、栞を付加すべき旨の操作入力がされると、これを受けて、栞指定生成部１４は、後に詳述する如き栞データ（図４及び図５等参照）を生成する。例えば、ユーザが、受験生である視聴者側でも講師等を含む提供者側でも、入力部４０及び栞指定生成部１４を用いて、動画コンテンツにおける所望の再生時刻若しくは時間帯に再生されている部分を、栞を付加すべき部分として指定することで、動画コンテンツに対し、その所望の期間（即ち、所定期間）に栞を付加することが可能となる。ここでの栞データが表示される位置若しくは範囲については、例えば、栞データの存在が簡単に分かるように、画面の右上隅或いは右下隅など、予め固定された位置若しくは範囲であってもよいし、ユーザが入力部４０を介して、例えば動画コンテンツの表示の邪魔にならない位置若しくは範囲を指定するようにしてもよい。【００６６】
なお、ディスプレイ３０と入力部４０とは、別体として構成されてもよいし或いは、ディスプレイ３０の画面上に、入力部４０を構成するタッチパネルが重ねて配置されるなど、少なくとも部分的に一体的に構成されてもよい。【００６７】
栞データベース１３には、後で詳述する如く、単に栞を表示するためのデータのみならず、栞に係るインデックス、名称、コメント等を表示するための各種データ、更に、栞データを介しての検索を可能ならしめる各種データを夫々伴う、複数の栞データが保持されている。栞データベース１３は、例えば、メモリ、記憶装置、コントローラ等を備えてなる。これによる栞データの保持は、インターネット等の通信網を介して、表示制御装置１０から離間して実行されてもよい。或いは、クラウド技術で、栞データを、主にブラウザ機能のみを有する表示制御装置１０を部分的に含むクライアント装置側に提供するように構成されてもよい。【００６８】
次に本実施例における栞データを動画コンテンツに重ねて又は動画コンテンツに隣接させて表示させる構成をその動作と共に更に説明する。
図１において、ユーザにより入力部４０等を介して指定された所望の動画コンテンツが再生部１６から提供されると、動画表示制御部１１は、この動画コンテンツに対応する画像信号、画像制御信号、タイミング信号、同期信号等の各種信号を、出力部１７を介して、ディスプレイ３０に提供する。これにより、ディスプレイ３０に係る表示制御を行う。
これと相前後して或いは並行して、入力部４０における栞を付加すべき旨の操作に応じて栞指定生成部１４で生成された栞データが提供されると、又は、入力部４０等を介して指定或いは検索された栞データが栞データベース１３から提供されると、栞表示制御部１２は、動画コンテンツに重ねて表示すべき栞データに対応する画像信号、画像制御信号、タイミング信号、同期信号等の各種信号を、出力部１７を介して表示手段に提供する。これにより、ディスプレイ３０に係る表示制御を行う。これらの表示制御の際に、出力部１７は、動画コンテンツに栞データを重ねて出力する合成出力部として機能する。
ここに出力部１７が「動画コンテンツに重ねて表示」するとは、単純に動画コンテンツの一部を隠す形で栞データを表示する場合の他、動画コンテンツの周縁部、上下左右、脇等に存在し得る、タスクバー、帯、額、枠、ウインドウ、サブの小画面等の一部として若しくはそのようなタスクバー等に重ねて（即ち、重なった部分だけ従前に見えていた部分を見えなくして）表示する意味も含む。更に「動画コンテンツに重ねて表示」するとは、重ねて表示される栞データが半透明表示、点滅表示等であるため、その下部に隠れた動画コンテンツ（或いはそのタスクバー等）が半透明等で透けて或いは部分的に見える場合も含む意味である。
加えて、栞データが表示される際に、動画コンテンツの表示サイズや表示形状に変化が加えられることで、栞データが画面内に表示されるエリアが確保されるように構成してもよい。更には、栞データが付加されている期間中には、予め規定された規則に従ってディスプレイ３０における表示出力形態や音声出力形態が変化するように構成されてもよい。このように構成すると、紙からなる本に挟まれる栞のようにそれ自体がユーザに見える形式で表示されておらずとも、出力形式の変化が栞の存否を示すと知っているユーザにしてみれば、当該画面上に直接表示されない栞データであっても、これを広義の栞として機能させ得る。
例えば、図２に示すように、ディスプレイ３０において、メイン画面２０１とは別に、メイン画面２０１の下辺に沿って延びるスクロールバー２１０を、メイン画面２０１に現在再生中のフレーム画像の位置及び栞の存在する位置を表示するサブ画面２０２として表示してもよい。具体的には、メイン画面２０１に現在表示中のフレーム画像の位置を動画全体の長さに相当するスクロールバー２１０上の横方向位置で示す（即ち動画再生に応じて矢印２１１ａのように右側に逐次移動する）現在位置マーク２１１で示すように、且つ、スクロールバー２１０上に各栞の位置を栞マーク２１３で示すように、当該サブ画面２０２を構成してもよい。
再び図１において、検索部１５は、入力部４０を介してのユーザによる操作に応じて、後に詳述する如き栞データが有するインデックスデータ、名称等を頼りに、栞データベース１３を検索可能に構成されている。ここで検索された栞データは、栞表示制御部１２に提供されると、栞指定生成部１４でリアルタイム的に指定生成された栞データの表示の場合と同様に、動画コンテンツに重ねて表示されることになる。【００６９】
本実施例では特に、出力部１７で合成される動画コンテンツは、一のレイヤーデータとして構築されている。これに対し、出力部１７で合成される栞データは他のレイヤーデータ（例えば、単純に栞の存在を示すだけの栞データから構成されるレイヤーデータのみならず、コメントデータ等を伴う栞データから構成されるレイヤーデータ、更に、栞データにリンクされたリンク先を示すデータ等までも伴う栞データから構成されるリンクレイヤーデータ）として構築されている。【００７０】
他方で、栞指定生成部１４に対しては、再生部１６から動画コンテンツの再生位置（即ち再生時間或いは再生時刻）を示す情報が提供される。この情報に基づいて、動画コンテンツの時間軸に対応付けがなされるように栞データは、生成される。【００７１】
この際、栞データを構成するレイヤーデータは、動画コンテンツを構成するレイヤーデータの全時間帯に対して途切れなく或いは連続的に存在している必要はなく、栞を表示する期間に対してのみ存在していれば足りる。即ち、栞データを構成するレイヤーデータは、動画コンテンツの再生時間軸上で、栞の存在する期間にのみ途切れ途切れの時間帯に或いは断続的に存在するデータとして構築されれば足りる。これにより、栞データのデータ量が無暗に増大しないで済む。【００７２】
このように動画コンテンツの時間軸上の再生位置を示す情報に基づくことで、動画コンテンツにおける栞データを付加したい所望の期間（言い換えれば、所望の再生時間帯）に、栞データを付加することを、即ち、結果的に表示上或いは外観上は動画コンテンツに対する適所に栞データが付加されている表示状態を、ディスプレイ３０の画面上で、極めて容易に実現できる。【００７３】
よって、動画コンテンツは、栞データが存在しない従前の動画コンテンツのままで済む。他方で、栞データについては、例えば従前の動画コンテンツに埋め込まれる形式のデータとして構築される必要性は無く、総じて簡易或いは単純なデータ構造（即ち、他のレイヤーデータとして動画コンテンツから独立した単純なデータ構造）を採用することで十分構築可能となる。【００７４】
従って、例えば、動画コンテンツのうち、ディスプレイ３０を視聴するユーザが重要である或いは難しいと感じた所望の部分に対し、ユーザは、入力部４０及び栞指定生成部１４を介しての操作によって、リアルタイム的に（即ち、動画コンテンツを視聴しながら）栞データを付加することが可能となる。更に、事後的に、栞データを頼りに、それが付加された動画コンテンツ部分のみを、ユーザは、入力部４０及び検索部１５を介しての操作によって、今一度或いは複数度、見直すことが可能となる。【００７５】
次に、図３のブロック図を参照して、図１に例示した表示制御装置を夫々含むサーバ装置及びクライアント装置等を含むシステムの全体構成について、説明する。【００７６】
図３において、インターネット１０００には、表示制御装置１０ａを含んでなるサーバ装置５００と、表示制御装置１０ｂを夫々含んでなる複数のクライアント装置１２００とが収容されており、更に、サーバ装置５００或いはクライアント装置１２００へリンク先のコンテンツを提供するリンク先コンテンツサーバ装置６００と、サーバ装置５００或いはクライアント装置１２００へ動画コンテンツを提供する動画コンテンツサーバ装置７００と、栞データベース１３Ｒを有しサーバ装置５００或いはクライアント装置１２００へ栞データを提供する栞データサーバ装置１３００とが収容されている。【００７７】
複数のクライアント装置１２００は、例えば、映像授業を受ける複数の受験生の手元に夫々配置される。複数のクライアント装置１２００が備える表示制御装置１０ｂは夫々、図１に示した表示制御装置１０と同様に構成されている。クライアント装置１２００は、例えば、パソコン、高機能テレビ、モバイル、スマートフォン等から構成されており、光ディスク２００ｄが装着可能である。光ディスク２００ｄに格納されており、後に詳述する栞データに係る各種処理をコンピュータに実行させるためのコンピュータプログラムを読み込んで実行させれば、クライアント装置１２００内に、表示制御装置１０（図１参照）を比較的容易に実現できる。或いは、このようなコンピュータプログラムは、インターネット１０００を介してクライアント装置１２００にダウンロードされてもよい。【００７８】
サーバ装置５００は、例えば、映像授業を配信する受験機関等の元に配置される。サーバ装置５００と動画コンテンツサーバ装置７００とは、共通のサーバであってもよいし、両方共に同一の受験機関等の元に配置されてもよいし、両者は全く離れたところに配置されてもよい。サーバ装置５００が備える表示制御装置１０ａは、図１に示した表示制御装置１０と同様に構成されている。サーバ装置５００は、例えば、パソコン、ワークステーション、モバイル等から構成されており、光ディスク１００ｄが装着可能である。光ディスク１００ｄに格納されており、後に詳述する如き栞データに係る各種処理をコンピュータに実行させるためのコンピュータプログラムを読み込んで実行させれば、サーバ装置５００内に、表示制御装置１０（図１参照）を比較的容易に実現できる。或いは、このようなコンピュータプログラムは、インターネット１０００を介してサーバ装置５００にダウンロードされてもよい。【００７９】
リンク先コンテンツサーバ装置６００は、サーバ装置５００と共通のサーバであってもよいし、両方共に同一の受験機関等の元に配置されてもよいし、両者は全く離れたところに配置されてもよい。リンク先コンテンツサーバ装置６００に保持されるコンテンツを利用することで、栞データが付された動画コンテンツに対応付けられるリンク先に存在する、他のコンテンツ等のデータを動画コンテンツ及び栞データに加えて又は代えて表示する処理が実行可能となる。即ち、動画コンテンツが静止画再生又は動画再生されている最中に、付加されている栞データがある場合、その栞データに対応するリンク先に係る画像データが、例えば、操作ボタンとしての機能を有する栞データに対し、入力部４０（図１参照）を構成するタッチパネル、マウス等を用いての所定種類の操作が行われることで、表示される（後述の図２１参照）。【００８０】
動画コンテンツサーバ装置７００は、図１に示した動画コンテンツデータベース２０を有して構成されてもよいし、更にその源になる膨大な量の動画コンテンツデータを有していてもよい。或いは、図１に示した動画コンテンツサーバ２０が、サーバ装置５００又はクライアント装置１２００の元に配置されていれば、そのような動画コンテンツサーバ装置７００は、省略可能となる。【００８１】
栞データサーバ装置１３００は、サーバ装置５００と共通のサーバであってもよいし、両方共に同一の受験機関のところに配置されてもよいし、両者は全く離れたところに配置されてもよい。或いは、図１に示した如き表示制御装置１０に備えられる栞データベース１３が全ての栞データを管理保持するようにシステムを構築すれば、独立した栞データサーバ１３００は、省略可能となる。逆に、例えば、映像授業の動画コンテンツの配信者でも視聴者でもない者（例えば、受験情報に詳しい或いは栞を付ける技能に長けたプロフェッショナル）が、栞データを付加するのに特化した役割を持つ者として介在して、サーバ装置５００から独立に、栞データサーバ装置１３００を操作するような構成も可能である。【００８２】
次に、図４及び図５を参照して、栞データのデータ構成について具体例を挙げて説明を加える。図４及び図５は、一人のユーザが一つの動画コンテンツに対して付加することで生成される複数の栞データにおけるデータ構造を示す一枚の図面を便宜上、左右二つに分割して示している。図４が分割された左部分に対応し、図５が分割された右部分に対応している（即ち、図中「…」の箇所で、図４のデータ構造と図５のデータ構造とは連続している）。【００８３】
図４及び図５において先ず、図４の左から右に向かって、栞データは、ユーザＩＤ（ＵＩＤ）、動画ＩＤ（Ｍｏｖｉｅ  ＩＤ）、栞ＩＤ（Ｓｉｏｒｉ  ＩＤ）、開始時刻データ（Ｓｔａｒｔ  Ｔｉｍｅ（ＳＴ））及び終了時刻データ（Ｅｎｄ  Ｔｉｍｅ（ＥＴ））を有する。続いて、図５の左から右に向かって、栞データは、色指定データ（Ｃｏｌｏｒ）、名称データ（Ｎａｍｅ）及びコメントデータ（Ｃｏｍｍｅｎｔｓ）を有する。図中、左右に延びる一行が、一つの栞データを示している。即ち、本例は、一つの動画コンテンツに対し６つの栞を付加した場合に構築される栞データを６行のデータとして示している。【００８４】
図４において、ユーザＩＤ（ＵＩＤ）は、各表示制御装置１０のユーザ（例えば映像授業の提供者或いは多数の視聴者の夫々）に対して、固有のＩＤが割り当てられてなる（図中、“ＧＫ００２３６４５７８９”なる単一のＩＤが例示されており、同一ユーザにより付加された栞データであることが分かる）。動画ＩＤ（Ｍｏｖｉｅ  ＩＤ）は、動画コンテンツ毎のＩＤであり、例えば映像授業で配信される複数の動画コンテンツに夫々、固有のＩＤが割り当てられてなる（図中、 “Ｍｏｖｉｅ００１Ａ”なる単一のＩＤが例示されており、同一動画コンテンツに対して付加された栞データであることが分かる）。【００８５】
栞ＩＤ（Ｓｉｏｒｉ  ＩＤ）は、ユーザＩＤ（ＵＩＤ）と動画ＩＤ（Ｍｏｖｉｅ  ＩＤ）との組み合わせに対して付加された栞データの夫々に、固有に割り当てられてなる（図中、ユーザＩＤに係る“４５７８９”と動画ＩＤに係る“００１Ａ”とが組み合わされ、これに更に、連続番号が組み合わされてなるＩＤが例示されている）。【００８６】
開始時刻データ（Ｓｔａｒｔ  Ｔｉｍｅ（ＳＴ））は、栞データの表示を開始すべき動画コンテンツの再生時間軸におけるタイムコード（図中では、時間、分、秒等の単位で示される具体的な時刻（再生時間））を示している。終了時刻データ（Ｅｎｄ  Ｔｉｍｅ（ＥＴ））は、栞データの表示を終了すべき動画コンテンツの再生時間軸におけるタイムコードを示している。【００８７】
図５において、色指定データ（Ｃｏｌｏｒ）は、予め設定されたルールの下若しくはユーザの好みにより、例えば栞データを指定・生成するユーザ等に認定された重要度の度合いに応じて、表示される栞データの色を規定しており、栞を付加した動画コンテンツ箇所が、最も重要である旨を色で示す赤（Ｒｅｄ）、（重要であるか否かに拘わらず又な重要でないにしても）面白いものである旨を色で示す青（Ｂｌｕｅ）、又は重要である旨を色で示す黄色（Ｙｅｌｌｏｗ）を、栞データ別に示している。【００８８】
名称データ（Ｎａｍｅ）は、予め設定されたカテゴリーを示す “重要！！”、“面白い”、“テストに出る”などの名称をテキストデータとして、栞データを指定・生成するユーザ等による判断で、栞データ別に付与されるものである。複数の栞データに対して、同一の名称が付けられることは許されており、検索用のインデックスデータとして使うことができる。即ち、例えば“テストに出る”という名称データ（Ｎａｍｅ）が付与された栞データが付加された個所ばかりを視聴すれば、文字通り「テストに出る」と、受験生自ら若しくは他の受験生又は講師が判断した箇所ばかりを視聴することも可能となる。【００８９】
コメントデータ（Ｃｏｍｍｅｎｔｓ）は、栞データを指定・生成するユーザ等が自由且つ任意に作成したコメントをテキストデータとして書き込んだものを、栞データ別に示している。或いは、典型的な複数種類のコメントの中から自由且つ任意に選択されたものを、栞データ別に示している。これにより、栞データが付加された背景状況、理由などを、テキスト形式で端的に或いは詳細に書くことが出来る。コメントデータを検索のキーワードとして用いることも可能である。即ち、このように作成されたコメントデータを、事後的に、見る或いは参照することも可能とされる。また、コメントデータについては、作成しなくても栞データとしては、完成しており、一旦完成させた栞データに対して、事後的にコメントデータを付加、修正、削除等することも可能である。【００９０】
図４及び図５で例示した栞データは、名称、コメント等まで含んでおり、便利であるが、栞データは、栞が付されていることが視聴者に伝わる限りにおいて、その基本的機能を有していれば成立する。例えば、図５に示した部分が無く、図４に示した部分からだけでも、栞データは成立する。栞データを付加する手間を減らす観点から言えば、栞データは、そのようにシンプルで最小限の基本的機能を有するものであってよい。【００９１】
ここで図６に示すように、栞データは、上述の如き栞データ（図４及び図５参照）に加えて又はその一部に代えて、ユーザＩＤの示すユーザ（即ち受験生）に係る、在籍地、第１志望校、第２志望校及び偏差値を含んで構成されてもよい。或いは、図６に示した如き在籍地等を含むデータが、栞データ（図４及び図５参照）に対して、紐付けれる形で記録保持されてもよい。【００９２】
次に、図１から図６と共に、図７から図１０のフローチャート等を参照して、表示制御装置１００の各種動作を、その詳細な構成と共に説明する。ここに、図７は、表示制御装置１００により栞データを生成し保存する際の一連の動作を示す。図８は、表示制御装置１００により栞データの付加された動画コンテンツ部分を検索する、言い換えれば「栞の付加された個所へジャンプ」する際の一連の動作を示す。図９は、動画コンテンツの内容別に栞の有無等を示す動画リストのデータ構成を示す概念図である。図１０は、表示制御装置１００により、他のユーザの栞データをダウンロードする際の一連の動作を示す。【００９３】
図７において、先ず、動画表示制御部１１（図１参照）等により、例えば映像授業等の動画コンテンツが動画再生される（ステップＳ１１）。その最中に、ディスプレイ３０の画面上において入力部４０で、例えばタッチパネル操作やマウス操作としてクリックされたか否かが、栞指定生成部１４（図１参照）等により判定され続ける（ステップＳ１２：Ｎｏ）。【００９４】
ここで、クリックされたと判定されると（ステップＳ１２：Ｙｅｓ）、更に１秒以上押されたか否か、即ち、入力部４０におけるクリック操作で１秒以上のユーザによる意識的な押圧或いは接触動作が行われたか否かが栞指定生成部１４等により判定される（ステップＳ１３）。【００９５】
ここで１秒以上押されていないと判定されると（ステップＳ１３：Ｎｏ）、画面表示はポーズとなり、通常の動画処理へと移行される。【００９６】
他方、１秒以上押されたと判定されると（ステップＳ１３：Ｙｅｓ）、ユーザから栞を付加すべき旨の積極的な指示を受けたものと、栞指定生成部１４等において認識される（ステップＳ１４）。即ち本実施例では、このような１秒以上のクリック操作が行われた場合には、予め設定されたユーザの知るところのルールの下、動画コンテンツの当該クリック操作が実行された場所或いは箇所（言い換えれば、再生時刻）で、ユーザが栞データを付加したい旨の操作入力がされたものと、栞指定生成部１４等で認定される。【００９７】
例えば、映像授業中に、ユーザが試験に出る箇所或いは重要な個所、理解できないのでもう一度見直したい箇所などに対して、このような栞を付加する旨のユーザ操作が行われる。【００９８】
更に、指が離れたか否か、即ち、タッチパネル操作やマウス操作が行われる入力部４０におけるクリックに係る指の操作で１秒以上続けられているものが解除されたか否かが、栞指定生成部１４等により判定される（ステップＳ１５）。この判定は、指が離れたと判定されるまで続けられる（ステップＳ１５：Ｎｏ）。この際、ステップＳ１２でクリックされてから、ステップＳ１５で指が離されるまでの時間（より具体的には、動画コンテンツの再生時間時刻上における時刻又はステップＳ１２のクリック以降の経過時間）が、栞指定生成部１４等で計測される。【００９９】
ここで指が離れたと判定されると（ステップＳ１５：Ｙｅｓ）、栞を付加する作業は終了したとものと、栞指定生成部１４等により判定される（ステップＳ１６）。即ち本実施例では、このような１秒以上のクリック操作が行われた後にクリックが解除された場合には、予め設定されたユーザの知るところのルールの下、動画コンテンツの当該クリックの解除が実行された場所或いは箇所（言い換えれば、再生時刻）で、ユーザが栞データの付加を止めたい、或いは栞付加はそこまでで十分である旨の積極的な操作入力がされたものと、栞指定生成部１４等で認定される。【０１００】
そしてステップＳ１６では、それまでのクリックに係る計測結果に基づいて、終了時刻データＥＴ（図５参照）は、現在時刻（より具体的にはタイムコード或いはタイムスタンプが示す現在時刻）から、マージンとなる例えば２秒を加えた（＋２秒した）ものとして、栞指定生成部１４等により生成される（ステップＳ１６）。なお、このマージンの値は、ユーザが所望の値に設定できる。【０１０１】
なお、開始時刻データＳＴ（図５参照）については、ステップＳ１２でクリックが開始された時刻（より具体的には、クリックが開始された時点でタイムコード或いはタイムスタンプが示す時刻）から、マージンとなる例えば２秒を引いた（−２秒した）ものとして、ステップＳ１６における終了時刻データＥＴの生成に相前後して或いは同時に（例えば、ステップＳ１３でＹｅｓとされた際に、ステップＳ１４で栞として認定された際に、或いはステップＳ１６の際に）、栞指定生成部１４等により生成される。なお、このマージンの値は、ユーザが所望の値に設定できる。【０１０２】
これらにより、図４に示した如き、開始時刻データＳＴ及び終了時刻データＥＴ、即ち栞データの基本的な部分が生成される。【０１０３】
続いて、以上のステップで生成された栞データを保存すべきか又はキャンセルすべきかの確認が、ディスプレイ３０及び入力部４０を介して、栞指定生成部１４等により実行される（ステップＳ１７）。ここで、キャンセルの場合（ステップＳ１７：キャンセル）、メニュー画面の消去が行われて画面表示はポーズとなり、通常の動画処理へと移行される。例えば、ユーザが栞データの生成作業中に、栞を付加する程のことはないと考え直した場合などが、ここでのキャンセルの場合に当たる。【０１０４】
他方、保存の場合（ステップＳ１７：保存）、ディスプレイ３０には、所定フォーマットのメニュー画面が、ポップアップで表示され（例えば、後で詳述する図１３参照）、当該栞データに係る色の指定や変更、名称やコメントを構成するテキストの指定や入力が入力部４０等を介して実行される（ステップＳ１８）。これらの指定或いは入力については、よく用いられるものをデフォールトバリューとして、それに対する変更や修正で済ませると便利である。これらにより、図５に示した如き、色指定データ（Ｃｏｌｏｒ）、名称データ（Ｎａｍｅ）及びコメントデータ（Ｃｏｍｍｅｎｔｓ）、即ち栞データの応用的な部分が生成される。【０１０５】
続いて、ユーザＩＤ及び動画ＩＤに連携した栞ＩＤ（図４参照）が付加され、栞データベース１３（図１参照）に、栞ＩＤが割り当てられた正式な栞データ（図４及び図５参照）として保存される（ステップＳ１９）。即ち、栞データを構成するレイヤーデータとして、或いは栞データの階層上は、画面内の所定位置（例えば、画面内の右上）に、開始時刻ＳＴから終了時刻ＥＴまで、栞が表示される内容の、栞データが生成される。動画コンテンツ自体に対しては、栞が付されるか否かによる変化修正等は全く行われない。【０１０６】
ステップＳ１９における保存が実行または完了されると、メニュー画面の消去が行われ、メニュー画面が表示される前のポーズ状態等に戻り（ステップＳ２０）、栞データの指定、生成から保存に係る一連の処理が終了する。【０１０７】
図８において、先ず、図９に例示する如きユーザＩＤに関連付けられた動画のリストが表示される。このリストには、動画の概要（例えば「物理１日目」、「物理２日目」、「英語１日目」などの内容サマリー（“Contents”）、及び「田中」、「鈴木」などの講師名等）と併せて、視聴済であるか否か、及び栞の有無等が表示される。ユーザにより、例えば映像授業のうちの“物理授業  第１６日目”の映像などの動画コンテンツが参照される。具体的には、選択されると、初めての視聴である又は栞が無い場合には、受験生等のユーザによる動画コンテンツの指定操作に応じて、動画表示制御部１１（図１参照）等により、当該動画コンテンツが動画再生され、該ユーザによって参照される。より具体的には、例えば栞がある場合には、位置表示画面となり、冒頭からの再生か又は栞の位置からの再生かを選択できる。ここで、栞の位置からの再生であれば、ユーザは当該栞をタッチすれば、そこから再生される。特に重要な栞が付加された部分は、サムネイルとして表示してもよい（ステップＳ２１）。動画コンテンツの再生の最中に、当該動画コンテンツに係る栞ＩＤ、或いは、当該動画コンテンツのＩＤ及びユーザ自らのＩＤに基づいて、当該再生中の動画に付加された栞データを参照したい旨の指示が、入力部４０等を介してユーザにより入力されるか否かが判定される（ステップＳ２２）。この判定は、動画が参照されている間、定期的に或いは不定期的に繰り返し実行される（ステップＳ２２：Ｎｏ）。なお、当該再生中の動画コンテンツに対して栞データが存在している再生時間帯であっても、状況に応じて選択的に、栞データがない場合と同様に動画コンテンツを視聴し続けることも可能である。【０１０８】
栞データが参照されるための操作入力が入力部４０等を介してユーザにより行われたものと判定されると（ステップＳ２２：Ｙｅｓ）、栞データのリストが所定フォーマットで動画コンテンツに重ねて又は隣接して、表示される（ステップＳ２３）。なお、ここでのリストの表示は、画面内で動画コンテンツの邪魔にならない位置或いは範囲に常時表示されていてもよいし、或いは、ユーザにより栞リストを表示すべき旨の操作入力があった場合に、動画コンテンツの邪魔にならない位置或いは範囲に適宜表示されていてもよいし、動画コンテンツを見るのに邪魔になる程度の位置或いは範囲で適宜表示されるのでもよい。【０１０９】
続いて、入力部４０等を介してユーザによりリスト選択が実行されると、即ち一又は多数の栞データを含むリストの中から一つの栞データが選択されると、該選択された栞データに係る栞ＩＤ、開始時刻ＳＴ等が参照される（ステップＳ２４）。これらは、各栞データに含まれている（図４参照）。【０１１０】
続いて、対応画面の開始時刻ＳＴへ画面を移動する。具体的には、再生時間軸上における再生箇所が、開始時刻ＳＴに一致する時刻へと移動され、そこにおける当該動画コンテンツの再生が開始される（ステップＳ２５）。このような再生は、動画コンテンツが一旦ポーズ（ＰＯＳＥ）とされ、即ち静止画再生或いは動画がストップ状態とされた後に、所定種類の再生開始を指示する旨の操作入力に応じて行われてもよいし、リスト選択後に、それ以上の操作入力を要することなく即座に又はポーズ期間を経て動画再生が開始されてもよい。【０１１１】
続いて、例えばディスプレイ３０の画面の右上に、指定された栞マークを表示する処理が栞表示制御部１２（図１参照）等により実行される（ステップＳ２６）。【０１１２】
続いて、栞マークが表示されたままで動画表示制御部１１等により通常動画処理が行われる。これらにより、栞マークが付された動画コンテンツ部分が再生され、その右上に栞マークが表示された再生画面となる（ステップＳ２７）。なお、これらの栞マークの表示（ステップＳ２６）と動画コンテンツの表示（ステップＳ２７）とは同時に行われてもよいし、後者が前者より若干だけ先行して開始されるのでも構わない。【０１１３】
その後、再生時間軸上における再生箇所が、終了時刻ＥＴに一致するまで動画コンテンツの通常再生が進められると、栞データに従って、栞マークの表示が栞表示制御部１２等により消去される（ステップＳ２８）。動画コンテンツの動画再生については、そのまま（即ち栞マークの表示が消えるだけで）続けられる。以上により、栞データを用いての参照動作、言い換えれば、栞が付加された箇所へのジャンプ操作に係る一連の処理が終了する。【０１１４】
図１０において、本実施例では、他人の栞データのダウンロードを実施することができ、そのために、本実施例は、動画毎に栞データが栞データベース１３（図１参照）上で、別途検索可能に構成されている。更に、各種条件に応じて、栞データの抽出が可能となるように（例えば、個人ＩＤのデータ中の志望校をピックアップし志望校Ａとされている個人ＩＤが付された栞データ、偏差値の高い者をピックアップしその者らの個人ＩＤが付されている栞データなどが、抽出可能なように）構成されている。更に、動画ＩＤ毎に栞データが、栞データベース１３に別途保持されるように構成されている。【０１１５】
この状況で先ず、対象となる動画コンテンツの選択が、一のユーザにより行われる（ステップＳ３１）。例えば、多数ある映像授業に対応するものとして、ディスプレイ３０に表示された講義リストの中から、対象となる講義が、入力部４０を介してのユーザ操作等によって選択される。【０１１６】
続いて、選択された動画コンテンツについての、ダウンロード（ＤＬ）可能な栞データがあるか否かの判定処理が実行される（ステップＳ３２）。この判定の結果、栞データがない場合には（ステップＳ３３：Ｎｏ）、ダウンロードは実行不能であるので、当該ダウンロードに係る処理は終了する。【０１１７】
他方、栞データがある場合（ステップＳ３３：Ｙｅｓ）、栞データを所有する各個人のうち所定条件を満たす者のみが自ら指定生成した若しくは所有している栞データが夫々抽出されてなる一又は複数の栞セットのリストの表示が行われる。例えば、志望校Ａとされている個人ＩＤが付された栞データのみが抽出されてなる栞セットや、志望校Ｂとされている個人ＩＤが付された栞データのみが抽出されてなる栞セットなどが、ディスプレイ３０の表示画面上に所定フォーマットでリストアップされる（ステップＳ３４）。【０１１８】
続いて、対象となる栞セットの選択が、当該ユーザにより行われる（ステップＳ３５）。例えば、自らの志望校が志望校Ｂである場合、ライバルの動向を調べる観点等から、ディスプレイ３０に表示された栞セットの中から、志望校Ｂとされている個人ＩＤが付された栞データのみからなる栞セットが、入力部４０を介してのユーザ操作等によって選択される。【０１１９】
続いて、この選択で間違いはないかの（即ちＯＫであるかの）確認が、入力部４０を介して行われる（ステップＳ３６）。ここで、栞セットの選択がＯＫでなければ（ステップＳ３６：Ｎｏ）、当該ダウンロードに係る処理は終了する。【０１２０】
他方、栞セットの選択がＯＫであれば（ステップＳ３６：Ｙｅｓ）、自分の栞データにダウンロードした栞データが上書きされる（ステップＳ３７）。具体的には、当該ユーザの栞データベース１３上で、ダウンロードした栞データに係る動画ＩＤについて、従前の栞データに、ダウンロードした栞データを加える処理が実行される。或いは、従前の栞データを、ダウンロードした栞データで部分的に又は完全に置き換える処理が実行されてもよい。以上により、一連のダウンロード処理が終了する。【０１２１】
次に、図１等と共に図１１を参照して、動画コンテンツの再生時間軸上で、栞データの指定生成のためのユーザ操作が行われる時刻と、それにより生成される栞データにおける開始時刻ＳＴ及び終了時刻ＥＴの時刻（即ち再生時間軸上での位置）の定まり方とについて説明を加える。【０１２２】
図１１に示す一具体例では、動画コンテンツの再生時間軸上における時刻Ｔ１では未だ、栞データを指定生成するためのユーザによる操作は何ら行われておらず、時刻Ｔ２でユーザによる操作として、栞データを付加する旨のタッチ操作が行われる。すると、時刻Ｔ３で即ち時刻Ｔ２から１秒経過後に、表示制御装置１０（図１参照）で、ユーザが栞データを付加しようとしているものと認識される。【０１２３】
その後、ユーザが、例えば「この部分は重要である」などの理由から栞データの付加を継続したい期間にタッチ操作が継続された後、時刻Ｔ４で栞データの付加を止める旨のタッチ終了（即ちタッチ或いはタッチ操作の解除）がユーザにより入力部４０を介して実行される。本例では、時刻Ｔ４は、時刻Ｔ３の３秒後とされており、即ち、入力部４０（図１参照）に対するタッチ操作は、３秒間だけ行われたことになる。この栞データが付加されている最中には、画面内に表示されるポップアップメニュー等を介して、前述の如き色データ、名称データ及びコメントデータ（図５参照）の入力が可能とされる。【０１２４】
すると、表示制御装置１０（図１参照）で、ユーザが一つの栞データを付加しようとする操作が完了したものと認識され、栞データに係る開始時刻ＳＴ（図４参照）は、実際にタッチされた時刻Ｔ２よりも２秒以前である（言い換えれば、認識された時刻Ｔ３から３秒間遡った位置となる）“栞配置スタート位置”と見做される時刻Ｔ１に設定される。これと相前後して又は同時に、栞データに係る終了時刻ＥＴ（図４参照）は、実際にタッチが終了された時刻Ｔ４よりも２秒以後である“栞終了位置”と見做される時刻Ｔ５に設定される。即ち、実際に実行されたタッチ操作は、４秒間だけ（即ち時刻Ｔ２から時刻Ｔ４までの期間）であるのに対して、栞データが付加される期間（言い換えれば、動画コンテンツに重ねて栞データ或いは栞マークが表示される期間）は、８秒間（即ち、時刻Ｔ１から時刻Ｔ５までの期間）となる
次に図１２を参照して、栞データを付加する際における具体的な表示画面について更に説明を加える。先ず図１２の左側は、動画表示されている動画コンテンツに対して、栞データを付加する際のディスプレイ３０の表示画面の一例を示している。図１２の右側は、図中左側の表示画面で保存ＯＫとされた後における、動画コンテンツ上に栞データが栞マークとして表示されている際のディスプレイ３０の表示画面の一例を示している。【０１２５】
図１２の左側に示されているように、表示画面３０−１では、右上部に（例えば、前述した図７のステップＳ１８の処理を行うための）「シオリ名変更」、「色指定」、「コメント」、「削除」等の操作ボタンを含むメニュー画面３０ａが表示されている。これらは、入力部４０（図１参照）を介して夫々指定或いは選択可能である。【０１２６】
「シオリ名変更」が指定或いは選択された場合には、栞の名称をそのデフォルト値からテキスト入力等により変更するための入力画面（例えば、ユーザをして当該栞の分かり易い名前を選択若しくは指定する画面又はテキスト入力する画面）がウインドウ表示或いはポップアップ表示として展開される（図７のステップＳ１８参照）。【０１２７】
「色指定」が指定或いは選択された場合には、栞の色をそのデフォルト値から変更するための入力画面（例えばしおりの色を、赤、黄色、緑、青、白のうちから選択する画面）がウインドウ表示或いはポップアップ表示として展開される（図７のステップＳ１８参照）。【０１２８】
「コメント」が指定或いは選択された場合には、コメントをテキスト入力するための入力画面（例えば、５０文字が入力可能な画面）がウインドウ表示或いはポップアップ表示として展開される（図７のステップＳ１８参照）。【０１２９】
「削除」が指定或いは選択されると、当該栞データが削除される。【０１３０】
表示画面３０−１内には更に、当該栞の識別番号（本例では“シオリＮｏ．００１２”）である旨のウインドウ画面３０ｂに含まれる「キャンセル」（即ち、保存キャンセル）又は「ＯＫ」（即ち、保存ＯＫ）の確認用画面３０ｃが表示され、これらに対してもタッチ或いはクリック操作が可能とされている（図７のステップＳ１７参照）。【０１３１】
なお、図１２の左側では説明の便宜上、メニュー画面３０ａ及びウインドウ画面３０ｂが動画コンテンツの画面から食み出すまでに大きく図示されているが、実際にはこれらの画面は動画コンテンツ又はディスプレイ３０（図１参照）の表示画面３０−１内に収まる位置に表示されるものである。【０１３２】
ウインドウ画面３０ｂ内で「ＯＫ」（即ち保存ＯＫ）がクリック或いはタッチ操作されると、図１２の右側に示されているように、栞データが存在している旨を示す栞マーク３０ｄが、動画コンテンツが再生されている表示画面３０−２の右上に表示される。このような栞マーク３０ｄは、その後、その表示中には、操作入力用ボタンとしてユーザによりクリック或いはタッチ操作されると、当該栞マークによりその存在が示されている栞データの内容（図４及び図５参照）が適宜、所定フォーマットで表示される。【０１３３】
本実施例では特に、栞マーク３０ｄは矩形であり、その内部に、当該ユーザと同様に当該再生中の動画コンテンツ（例えば、当該栞データが付加された動画コンテンツの前後５秒間以内の動画コンテンツの少なくとも一部）に対して、栞データを付加したユーザの総人数（本例では“２４４”名）がテキストとして表示されている。このような総人数に係るデータは、例えば、多数のクライアント装置１２００から栞データを吸い上げて統計処理を行う栞データサーバ装置１３００からインターネット１０００を介して取得される（図３参照）。【０１３４】
なお、図１２の左側の表示画面３０−１が表示されている最中には、動画コンテンツは動画表示されているままでもよいが、一時的に静止画表示に切り替えられていてもよい。静止画表示とされれば、時間的な余裕をもって、メニュー画面３０ａを利用しての入力操作を行うことができ、便利である。【０１３５】
図１２に示したように本実施例によれば、栞データの付加作業は動画コンテンツの再生画面上で行うことができ、付加が完了すると、当該ユーザは、自分と同様に栞データを付加した他のユーザの総人数（言い換えれば、ライバルの動向）を、簡単かつ迅速に知ることが可能となる。【０１３６】
次に図１３を参照して、栞データを検索する際における具体的な表示画面について更に説明を加える。先ず図１３の左側は、動画表示されている動画コンテンツに対して、栞データを検索する際のディスプレイ３０の表示画面の一例を示している。図１３の右側は、図中左側の表示画面で検索（具体的には、リストにおける名称の選択操作）がされた後における、動画コンテンツ上に栞データが栞マークとして表示されている際のディスプレイ３０の表示画面の一例を示している。【０１３７】
図１３の左側に示されているように、表示画面３０−３では、ポップアップ表示、プルダウンメニュー表示、ウインドウ表示等により、どの名称を付加された栞データ（図５等参照）の検索が要求されるかのリスト画面３０ｅが表示されている。  なお、図１３の左側では説明の便宜上、リスト画面３０ａは、動画コンテンツの画面の外に大きく外れて図示されているが、実際にはリスト画面３０ａは動画コンテンツ又はディスプレイ３０（図１参照）の表示画面３０−３内に収まる位置に表示されるものである。【０１３８】
このように表示されたリスト画面３０ａ上で「シオリリスト」にリストアップされた複数の名称のうち、ユーザにより一の名称（例えば「ここは面白い！」なる名称）が、選択されると、図１３の右側に示されているように、ここで選択された名称が付けられている栞マーク３０ｆが付加されている動画コンテンツの静止画再生若しくは動画再生が行われ、その動画コンテンツ上に栞マーク３０ｆが重ねられた表示画面３０−４が表示される。【０１３９】
更に、当該再生中の動画コンテンツ（例えば、当該栞データが付加された動画コンテンツの前後５秒間以内の動画コンテンツの少なくとも一部）に対して、栞データを付加したユーザの総人数（本例では“６８７”名）がテキストとして表示されている。このような総人数に係るデータは、例えば、多数のクライアント装置１２００から栞データを吸い上げて統計処理を行う栞データサーバ装置１３００からインターネット１０００を介して取得される（図３参照）。【０１４０】
なお、このような栞マーク３０ｆは、その後、その表示中には、操作入力用ボタンとしてユーザによりクリック或いはタッチ操作されると、当該栞マークによりその存在が示されている栞データの内容（図４及び図５参照）が適宜、所定フォーマットで表示される。【０１４１】
次に図１４及び図１５を参照して、栞データの構成について説明を加える。【０１４２】
図１４には、３名のユーザＡ，Ｂ及びＣが有する栞データが図式的に示されており、図１５には、３名のユーザＤ，Ｅ及びＦが有する栞データが図式的に示されている。【０１４３】
図１４に示すように、ユーザＡは、栞データｓｉｏｒｉＡ１〜ｓｉｏｒｉＡ−７を含んでなるシオリＡファイル１３ａを自らのクライアント装置等で生成された若しくはダウンロードされた又はデフォルトのファイルとして有する。ユーザＢは、栞データｓｉｏｒｉＢ１〜ｓｉｏｒｉＢ−１０を含んでなるシオリＢファイル１３ｂを自らのクライアント装置等で生成された若しくはダウンロードされた又はデフォルトのファイルとして有する。ユーザＣは、栞データｓｉｏｒｉＣ１〜ｓｉｏｒｉＣ−５を含んでなるシオリＣファイル１３ｃを自らのクライアント装置等で生成された若しくはダウンロードされた又はデフォルトのファイルとして有する。なお、このようなシオリファイルは、各クライアント装置で保持管理してもよいが、夫々の個人情報とは別に、クラウド上にアップされ、共有情報として複数のクライアント装置で共有或いは共用とされ、適宜に参照されるのでもよい。【０１４４】
図１５に示すように、ユーザＤは、栞データｓｉｏｒｉＢ１〜ｓｉｏｒｉＢ−１０（即ち、図１４に示したシオリＡファイル）に加えて、栞データｓｉｏｒｉＤ１〜ｓｉｏｒｉＤ−４（図中、ファイルセット１３Ｄ−ａとしてサークルで囲まれた部分）がダウンロードされてなるシオリファイルセット１３Ｄを、自らのクライアント装置用に生成された若しくはダウンロードされた又はデフォルトのファイルとして有する。【０１４５】
ユーザＥは、栞データｓｉｏｒｉＡ１〜ｓｉｏｒｉＡ−７（即ち、図１４に示したシオリＡファイル）に加えて、栞データｓｉｏｒｉＥ１〜ｓｉｏｒｉＥ−６（図中、ファイルセット１３Ｅ−ａとしてサークルで囲まれた部分）がダウンロードされてなるシオリデータセット１３Ｅを、自らのクライアント装置用に生成若しくはダウンロードされた又はデフォルトのファイルとして有する。【０１４６】
ユーザＦは、栞データｓｉｏｒｉＣ１〜ｓｉｏｒＣ５（即ち、図１４に示したシオリＣファイル）に加えて、栞データｓｉｏｒｉＦ１〜ｓｉｏｒｉＦ−６（図中、ファイルセット１３Ｆ−ａとしてサークルで囲まれた部分）がダウンロードされてなるシオリデータファイル１３Ｆを、自らのクライアント装置用に生成された若しくはダウンロードされた又はデフォルトのファイルとして有する。【０１４７】
本実施形態では特に、図１５に示したように、ダウンロードされたシオリファイルが追記される（即ち、ダウンロードより以前から当該ユーザが自ら所有する栞ファイルについては失われることなく、残される）ことも可能である。【０１４８】
次に図１６から図１９を参照して、栞データ或いは栞マークの表示形態の一つとしての「各種アイコン」について説明を加える。ここに図１６から図１９には夫々、このような栞データが付加された総人数に応じて形状或いは形相が変化する４種類のアイコンを示す。【０１４９】
先ず、総人数のカウントの仕方としては、例えば、当該栞データが付加された動画コンテンツの前後５秒間以内の動画コンテンツの少なくとも一部に対して、栞データを付加したユーザ数を総人数としてカウントする。そして、このようなカウントの結果得られる総人数の変化に応じて形状或いは形相が変化するアイコンを表示する。【０１５０】
例えば、総人数が、最も少ない（例えば全聴講者の１０〜１５％或いはそれ以下である）Ｎ１〜Ｎ２の間であれば、図１６のアイコン（具体的には“笑顔マーク”のアイコン）が表示され、総人数が有意義に居る（例えば全聴講者の１０％〜５０％程度である）Ｎ２〜Ｎ３の間であれば、図１７のアイコン（具体的には“大笑いマーク”のアイコン）が表示され、総人数が多い（例えば全聴講者の５０％〜９０％程度である）Ｎ３〜Ｎ４の間であれば、図１８のアイコン（具体的には“エキサイト”のアイコン）が表示され、総人数が、最も多い（例えば総聴講者の８５〜９０％或いはそれ以上である）Ｎ４〜Ｎ５の間であれば、図１９のアイコン（具体的には“熱狂マーク”のアイコン）が表示される。【０１５１】
このような総人数に係るデータは、例えば、多数のクライアント装置１２００から栞データを吸い上げて統計処理を行う栞データサーバ装置１３００からインターネット１０００を介して取得される（図３参照）。総人数に係るデータは、例えば、同一の動画コンテンツのタイムライン上で、全ユーザの栞データを計測し、その総数を示すものとして取得される。【０１５２】
本実施例では、図１６から図１９に示した如きアイコンとして、予めユーザに既知とされる、画面上で目立つ或いは際立つ熱狂アイコンの形状等を定めておく。その後、例えば同一の動画コンテンツ部分に対して多数の栞データが付加されている旨を示す「熱狂アイコン」が、栞データの総数が所定閾値以上である場合に、画面上で目立つ或いは際立つように表示される。例えば、図１６〜図１９の中では、図１９にある、ユーザが予めその意味を知らされると共に視覚的に非常に目立つ熱狂アイコンが採用される。これにより、例えば、多数或いは大多数の受験生であるユーザらの間で、判断が一致して、「重要である」等として栞データを付加した動画コンテンツ個所であれば、そういう状況である旨を示す栞データ（この場合、熱狂アイコン）が表示され、各ユーザはそれを容易にして利用できる。加えて、例えば、栞データ数の計測を、当該ユーザと同一ペルソナ（例えば、同一志望校や近似偏差値の別ユーザ）とすれば、参照情報としてより有用である。【０１５３】
次に図２０及び図２１を参照して、更なる実施例について説明する。【０１５４】
図２０に示す実施例は、図２０の左側に示した如く、表示画面３０−５内に、栞データ３０ｇが付加された動画コンテンツ部分が静止画再生又は動画再生されている最中に、入力部４０を介して、ユーザにより所望の文字または図柄を入力可能に構成されている。そして、栞表示制御部１２は、表示画面３０−６内において、栞データ３０ｇと共に入力部４０を介して入力された所望の文字または図柄３０ｈを、図２０の右側に示した如く、動画コンテンツに重ねて表示可能に構成されている。【０１５５】
本実施例によれば、栞データ３０ｇを栞マークとして表示しつつ、所謂「落書き」が可能となる。よって、文字または図柄３０ｈと栞データ３０ｇとの両者の存在によって、ユーザは、動画コンテンツの所望の個所に対して、視覚的に、より情報量が多い或いはより自由度の高い表示を実現できる。【０１５６】
このような落書き機能に加えて又は代えて、栞表示制御部１２は、入力部４０におけるタッチパネルの接触の軌跡又はマウスの操作の軌跡を、栞データ或いは栞マークとして、表示画面上における蛍光ペンの演出で表示するように構成してもよい。即ち、図２０の右側に示した如き、落書きされる文字または図面３０ｈを、栞データ３０ｇに代わる栞マークとしても機能させてよい。すると、栞データを、ユーザが操作した軌跡に応じた可変形状であって、しかも蛍光ペンにより極めて目立つものとして、動画コンテンツ上に表示可能となる。前述したサムネイル（図８のステップＳ２１及びその説明参照）、即ち特に重要な栞が付加された部分を示すサムネイルについては、この蛍光ペンで記入された位置を選択すると効果的である。【０１５７】
図２１に示す実施例は、図２１の左側に示した如く、表示画面３０−７内に、栞データ３０ｉが栞マークとして付加された動画コンテンツ部分が静止画再生又は動画再生されている最中に、入力部４０を介してのユーザからの指示入力を受けて、栞データ３０ｉにリンクされたリンク先の画像データが呼び出される処理が実行され、図２１の右側に示した如くに、呼び出したリンク先の画像データが所定フォーマット（具体的には、ウインドウ表示など）で、表示画面３０−８内に表示可能に構成されている。この際、栞データ３０ｉに対応するリンク先に係る画像データ（例えば、栞データの付加された動画コンテンツに係る部分に関連する問題や解答・解説を提示する、リンク先のサーバ等から取得可能な動画データや静止画データ）が、操作ボタンとしての機能を有する栞データに対し、入力部４０（図１参照）を構成するタッチパネル、マウス等を用いての所定種類の操作が行われることで、表示される。【０１５８】
特に、リンク先を簡単に指定、変更、追加等できることが強く望まれる環境下でも、結果的に動画コンテンツにおける所望の個所に対応して、所望のリンク先を簡単に指定、設定、変更、追加等することが可能となる。この際、栞データを採用することによって、動画コンテンツのフレーム毎にリンク指定用の各種データを構築するのに比べて遥かに少量のデータを用いて、動画コンテンツ上でリンク先を選択できる仕組みを、構築できる。【０１５９】
加えて、上述の実施例において、「時間軸」の典型例を構成する時間情報に対して栞データを保存する代わりに、動画の中で講師が話す内容を文節やとても短いチャプタ或いは章で区切り、その文節単位等で栞データを保存するようにしてもよい。文節等に区切るのは、人が聞いて適当な操作入力によって区切ることもできるし、或いは、ＡＩが区切るようにしてもよい。このような時間的には不規則に並べられる文節等の配列も、本発明に係る「時間軸」の一種類或いは変形例を構成する。言い換えれば、本発明に係る「時間軸」を構成するのはタイムスタンプなどの時間情報そのものであってもよいし、時間の経過と共に昇順などで変化する文節番号、チャプタ番号、トラック番号などの並び或いは配列等であってもよい。【０１６０】
また、受験機関が提供する栞セットとして、例えば「２０１６年Ａ大学  過去問解説」等として取り扱ってもよい。動画提供に当たり、栞セットの作成が講義内容の抜け・漏れのチェックとなり、コンテンツの向上に繋がる。【０１６１】
以上詳細に説明した如く、比較的簡易或いは単純な方法で、比較的簡易或いは単純な装置構成を採用しつつ、動画コンテンツに対して所望の栞データを付加すること、言い換えれば、栞を挟むことが可能となり、栞を利用しての様々な再生表示が可能となり、実用上大変便利となる。【０１６２】
特に、当該表示制御装置のユーザが付加したい栞データを簡単に指定、変更、追加等できることが強く望まれる環境下でも、結果的に任意のオブジェクトに対応して、所望の栞データを簡単に指定、設定、変更、追加等することが可能となる。更に、当該表示制御装置を実現するために必要なプログラムは、簡易なもので済み、処理時間、処理量或いはデータ量を顕著に低減することも可能となる。【０１６３】
本発明は、上述した実施形態或いは実施例に限られるものではなく、請求の範囲及び明細書全体から読み取れる発明の要旨或いは思想に反しない範囲で適宜変更可能であり、そのような変更を伴う表示制御装置及びコンピュータプログラムもまた本発明の技術的範囲に含まれるものである。
【符号の説明】
【０１６４】
１０…表示制御装置、１１…動画表示制御部、１２…栞表示制御部、１３…栞データベース、１４…栞指定生成部、１５…検索部、２０…動画コンテンツデータベース、３０…ディスプレイ、４０…入力部
【図１】
2019059207.tif 000003
【図２】
2019059207.tif 000004
【図３】
2019059207.tif 000005
【図４】
2019059207.tif 000006
【図５】
2019059207.tif 000007
【図６】
2019059207.tif 000008
【図７】
2019059207.tif 000009
【図８】
2019059207.tif 000010
【図９】
2019059207.tif 000011
【図１０】
2019059207.tif 000012
【図１１】
2019059207.tif 000013
【図１２】
2019059207.tif 000014
【図１３】
2019059207.tif 000015
【図１４】
2019059207.tif 000016
【図１５】
2019059207.tif 000017
【図１６】
2019059207.tif 000018
【図１７】
2019059207.tif 000019
【図１８】
2019059207.tif 000020
【図１９】
2019059207.tif 000021
【図２０】
2019059207.tif 000022
【図２１】
2019059207.tif 000023
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
表示手段の画面内に、動画コンテンツを静止画再生又は動画再生させる第１制御手段と、
前記動画コンテンツが静止画再生又は動画再生されている最中に、前記画面内の所定位置若しくは範囲に、所定形状の栞を示すと共に前記動画コンテンツから独立した栞データを、前記動画コンテンツの時間軸上で所定期間だけ前記動画コンテンツに重ねて表示させる第２制御手段と、
前記栞データを前記動画コンテンツの時間軸に対応付けて保持する保持手段と
を備え、
前記動画コンテンツが静止画再生又は動画再生されている最中に、前記栞データを付加する旨の指示が入力されるのに応じて、前記栞データを指定若しくは生成可能な栞指定生成手段を更に備え、
前記保持手段は、前記所定期間として（ｉ）前記栞データの生成開始のトリガーよりも所定時間前から又は該生成開始のトリガーより前に始まる前記画コンテンツの所定単位の初めから（ｉｉ）前記栞データの生成終了のトリガーから所定時間後まで又は該生成終了のトリガーより後に終わる前記画コンテンツの所定単位の終わりまで、に相当する期間を示すタイムインデックスデータを、前記栞データの一部として又は前記栞データに対応付けて保持することを特徴とする表示制御装置。
【請求項２】
前記保持手段は、前記栞に係る検索用の一又は複数種類のインデックスデータを、前記栞データの一部として又は前記栞データに対応付けて保持することを特徴とする請求項１に記載の表示制御装置。
【請求項３】
表示手段の画面内に、動画コンテンツを静止画再生又は動画再生させる第１制御手段と、
前記動画コンテンツが静止画再生又は動画再生されている最中に、前記画面内の所定位置若しくは範囲に、所定形状の栞を示すと共に前記動画コンテンツから独立した栞データを、前記動画コンテンツの時間軸上で所定期間だけ前記動画コンテンツに重ねて表示させる第２制御手段と、
前記栞データを前記動画コンテンツの時間軸に対応付けて保持する保持手段と
を備え、
前記動画コンテンツが静止画再生又は動画再生されている最中に、前記栞データを付加する旨の指示が入力されるのに応じて、前記栞データを指定若しくは生成可能な栞指定生成手段を更に備え、
前記第１制御手段は、前記栞データの生成開始のトリガーに係る操作が所定時間より短い時間のものである場合、前記動画コンテンツを動画再生から静止画再生に切り替えることを特徴とする表示制御装置。
【請求項４】
前記栞指定生成手段は、前記付加する旨の指示に加えて、前記栞に係るコメント、名称及び色のうち少なくとも一つを指定する旨の指示が入力されるのに応じて、前記少なくとも一つを伴う前記栞データを指定若しくは生成可能であり、
前記第２制御手段は、前記栞データが伴う前記少なくとも一つに従って、前記栞データを表示する
ことを特徴とする請求項１又は３に記載の表示制御装置。
【請求項５】
前記栞指定生成手段は、前記動画コンテンツ及び前記栞データの少なくとも一方に重ねて表示されるウインドウ画面内若しくはプルダウンメニュー上で．前記少なくとも一つを指定若しくは生成可能に構成されていることを特徴とする請求項４に記載の表示制御装置。
【請求項６】
前記画面は、タッチパネルの画面であり、
前記栞指定生成手段は、前記タッチパネルへの操作者による接触を、前記栞データの生成開始のトリガーとし、前記接触の終了を、前記栞データの生成終了のトリガーとする
ことを特徴とする請求項１又は３に記載の表示制御装置。
【請求項７】
前記栞指定生成手段は、マウスへの操作者による第１の操作を前記栞データの生成開始のトリガーとし、第２の操作を前記栞データの生成終了のトリガーとすることを特徴とする請求項１又は３に記載の表示制御装置。
【請求項８】
前記栞指定生成手段は、前記接触の操作が所定時間より長い時間のものである場合に限定して、前記接触の操作を前記トリガーとすることを特徴とする請求項６に記載の表示制御装置。
【請求項９】
前記栞指定生成手段は、前記マウスの操作が所定時間より長い時間のものである場合に限定して、前記マウスの操作を前記トリガーとすることを特徴とする請求項７に記載の表示制御装置。
【請求項１０】
前記第２制御手段は、前記生成開始のトリガーから前記生成終了のトリガーまでの前記接触の軌跡を、前記栞データとして、前記画面上における蛍光ペンの演出で表示することを特徴とする請求項６に記載の表示制御装置。
【請求項１１】
前記第２制御手段は、前記生成開始のトリガーから前記生成終了のトリガーまでの前記マウスの操作の軌跡を、前記栞データとして、前記画面上における蛍光ペンの演出で表示することを特徴とする請求項７に記載の表示制御装置。
【請求項１２】
前記第１制御手段は、前記栞指定生成手段により前記栞データが指定若しくは生成される際に、前記動画コンテンツを動画再生から静止画再生又はスロー再生に切り替えることを特徴とする請求項１又は３に記載の表示制御装置。
【請求項１３】
前記保持手段は、前記栞データに対応すると共に所望のリンク先を識別するリンク先識別情報を、前記栞データの一部として又は前記栞データに対応付けて保持し、
前記第２制御手段は、前記動画コンテンツが静止画再生又は動画再生されている最中に、前記リンク先識別情報により識別されるリンク先に係る画像データを、前記動画コンテンツに加えて又は代えて、前記栞データの一部として又は前記栞データに対応付けて表示可能である
ことを特徴とする請求項１又は３に記載の表示制御装置。
【請求項１４】
当該表示制御装置は、他の一又は複数の表示制御装置と共に一つのネットワークに収容されており、
前記第２制御手段は、前記ネットワークを介して取得される（ｉ）他の一の表示制御装置で生成された一の栞データ及び（ｉｉ）他の複数の表示制御装置で生成された複数の栞データに基づく統計処理結果を示す処理済栞データの少なくとも一方を、当該表示制御装置に係る前記栞データに加えて又は代えて表示する
ことを特徴とする請求項１又は３に記載の表示制御装置。
【請求項１５】
前記第２制御手段は、同一動画コンテンツに係ると共に前記所定期間が少なくとも部分的に重なる又は同一である栞データの総数を前記処理済栞データに基づき所定形式で表現する栞マークとして、前記栞データを表示することを特徴とする請求項１４に記載の表示制御装置。
【請求項１６】
前記第２制御手段は、同一動画コンテンツに係ると共に前記所定期間が少なくとも部分的に重なる又は同一である栞データの総数が所定閾値を超えた場合に、前記栞データに代わる前記処理済データとして若しくは前記処理済みデータに加えて、形状が該総数に応じて可変のアイコンを示す画像データを表示することを特徴とする請求項１４に記載の表示制御装置。
【請求項１７】
前記動画コンテンツが静止画再生又は動画再生されている最中に、所望の文字または図柄を、入力可能な入力手段を更に備え、
前記第２制御手段は、前記栞データと共に若しくは前記栞データの少なくとも一部として、前記入力手段を介して入力された所望の文字または図柄を、前記動画コンテンツに重ねて表示可能であり、
前記保持手段は、前記栞データに対応付けて前記文字または図柄を示す画像データを保持する
ことを特徴とする請求項１又は３に記載の表示制御装置。
【請求項１８】
コンピュータを、請求項１又は３に記載の表示制御装置として機能させることを特徴とするコンピュータプログラム。
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
表示手段の画面内に、動画コンテンツを静止画再生又は動画再生させる第１制御手段と、
前記動画コンテンツが静止画再生又は動画再生されている最中に、前記画面内の所定位置若しくは範囲に、所定形状の栞を示すと共に前記動画コンテンツから独立した栞データを、前記動画コンテンツの時間軸上で所定期間だけ前記動画コンテンツに重ねて表示させる第２制御手段と、
前記栞データを前記動画コンテンツの時間軸に対応付けて保持する保持手段と  
を備え、
前記動画コンテンツが静止画再生又は動画再生されている最中に、前記栞データを付加する旨の指示が入力されるのに応じて、前記栞データを指定若しくは生成可能な栞指定生成手段を更に備え、
前記保持手段は、前記所定期間として（ｉ）前記栞データの生成開始のトリガーよりも所定時間前から又は該生成開始のトリガーより前に始まる前記画コンテンツの所定単位の初めから（ｉｉ）前記栞データの生成終了のトリガーから所定時間後まで又は該生成終了のトリガーより後に終わる前記画コンテンツの所定単位の終わりまで、に相当する期間を示すタイムインデックスデータを、前記栞データの一部として又は前記栞データに対応付けて保持することを特徴とする表示制御装置。
【請求項２】
前記保持手段は、前記栞に係る検索用の一又は複数種類のインデックスデータを、前記栞データの一部として又は前記栞データに対応付けて保持することを特徴とする請求項１に記載の表示制御装置。
【請求項３】
表示手段の画面内に、動画コンテンツを静止画再生又は動画再生させる第１制御手段と、
前記動画コンテンツが静止画再生又は動画再生されている最中に、前記画面内の所定位置若しくは範囲に、所定形状の栞を示すと共に前記動画コンテンツから独立した栞データを、前記動画コンテンツの時間軸上で所定期間だけ前記動画コンテンツに重ねて表示させる第２制御手段と、
前記栞データを前記動画コンテンツの時間軸に対応付けて保持する保持手段と
を備え、
前記動画コンテンツが静止画再生又は動画再生されている最中に、前記栞データを付加する旨の指示が入力されるのに応じて、前記栞データを指定若しくは生成可能な栞指定生成手段を更に備え、
前記第１制御手段は、前記栞データの生成開始のトリガーに係る操作が所定時間より短い時間のものである場合、前記動画コンテンツを動画再生から静止画再生に切り替えることを特徴とする表示制御装置。
【請求項４】
前記栞指定生成手段は、前記付加する旨の指示に加えて、前記栞に係るコメント、名称及び色のうち少なくとも一つを指定する旨の指示が入力されるのに応じて、前記少なくとも一つを伴う前記栞データを指定若しくは生成可能であり、
前記第２制御手段は、前記栞データが伴う前記少なくとも一つに従って、前記栞データを表示する  
ことを特徴とする請求項１又は３に記載の表示制御装置。
【請求項５】
前記栞指定生成手段は、前記動画コンテンツ及び前記栞データの少なくとも一方に重ねて表示されるウインドウ画面内若しくはプルダウンメニュー上で、前記少なくとも一つを指定若しくは生成可能に構成されていることを特徴とする請求項４に記載の表示制御装置。
【請求項６】
前記画面は、タッチパネルの画面であり、
前記栞指定生成手段は、前記タッチパネルへの操作者による接触を、前記栞データの生成開始のトリガーとし、前記接触の終了を、前記栞データの生成終了のトリガーとする
ことを特徴とする請求項１又は３に記載の表示制御装置。
【請求項７】
前記栞指定生成手段は、マウスへの操作者による第１の操作を前記栞データの生成開始のトリガーとし、第２の操作を前記栞データの生成終了のトリガーとすることを特徴とする請求項１又は３に記載の表示制御装置。
【請求項８】
前記栞指定生成手段は、前記接触の操作が所定時間より長い時間のものである場合に限定して、前記接触の操作を前記トリガーとすることを特徴とする請求項６に記載の表示制御装置。
【請求項９】
前記栞指定生成手段は、前記マウスの操作が所定時間より長い時間のものである場合に限定して、前記マウスの操作を前記トリガーとすることを特徴とする請求項７に記載の表示制御装置。
【請求項１０】
前記第２制御手段は、前記生成開始のトリガーから前記生成終了のトリガーまでの前記接触の軌跡を、前記栞データとして、前記画面上における蛍光ペンの演出で表示することを特徴とする請求項６に記載の表示制御装置。
【請求項１１】
前記第２制御手段は、前記生成開始のトリガーから前記生成終了のトリガーまでの前記マウスの操作の軌跡を、前記栞データとして、前記画面上における蛍光ペンの演出で表示することを特徴とする請求項７に記載の表示制御装置。
【請求項１２】
前記第１制御手段は、前記栞指定生成手段により前記栞データが指定若しくは生成される際に、前記動画コンテンツを動画再生から静止画再生又はスロー再生に切り替えることを特徴とする請求項１又は３に記載の表示制御装置。
【請求項１３】
前記保持手段は、前記栞データに対応すると共に所望のリンク先を識別するリンク先識別情報を、前記栞データの一部として又は前記栞データに対応付けて保持し、        
前記第２制御手段は、前記動画コンテンツが静止画再生又は動画再生されている最中に、前記リンク先識別情報により識別されるリンク先に係る画像データを、前記動画コンテンツに加えて又は代えて、前記栞データの一部として又は前記栞データに対応付けて表示可能である
ことを特徴とする請求項１又は３に記載の表示制御装置。
【請求項１４】
当該表示制御装置は、他の一又は複数の表示制御装置と共に一つのネットワークに収容されており、
前記第２制御手段は、前記ネットワークを介して取得される（ｉ）他の一の表示制御装置で生成された一の栞データ及び（ｉｉ）他の複数の表示制御装置で生成された複数の栞データに基づく統計処理結果を示す処理済栞データの少なくとも一方を、当該表示制御装置に係る前記栞データに加えて又は代えて表示する
ことを特徴とする請求項１又は３に記載の表示制御装置。
【請求項１５】
前記第２制御手段は、同一動画コンテンツに係ると共に前記所定期間が少なくとも部分的に重なる又は同一である栞データの総数を前記処理済栞データに基づき所定形式で表現する栞マークとして、前記栞データを表示することを特徴とする請求項１４に記載の表示制御装置。
【請求項１６】
前記第２制御手段は、同一動画コンテンツに係ると共に前記所定期間が少なくとも部分的に重なる又は同一である栞データの総数が所定閾値を超えた場合に、前記栞データに代わる前記処理済データとして若しくは前記処理済みデータに加えて、形状が該総数に応じて可変のアイコンを示す画像データを表示することを特徴とする請求項１４に記載の表示制御装置。
【請求項１７】
前記動画コンテンツが静止画再生又は動画再生されている最中に、所望の文字または図柄を、入力可能な入力手段を更に備え、
前記第２制御手段は、前記栞データと共に若しくは前記栞データの少なくとも一部として、前記入力手段を介して入力された所望の文字または図柄を、前記動画コンテンツに重ねて表示可能であり、
前記保持手段は、前記栞データに対応付けて前記文字または図柄を示す画像データを保持する
ことを特徴とする請求項１又は３に記載の表示制御装置。
【請求項１８】
コンピュータを、請求項１又は３に記載の表示制御装置として機能させることを特徴とするコンピュータプログラム。
【国際調査報告】
2019059207.tif 000024
2019059207.tif 000025
2019059207.tif 000026
2019059207.tif 000027
2019059207.tif 000028
2019059207.tif 000029
2019059207.tif 000030
2019059207.tif 000031